(57)【特許請求の範囲】
【請求項１】
ユーザ機器（ＵＥ）による、ライセンス支援アクセス（ＬＡＡ）システムにおいてアップリンク送信を管理するための方法であって、
１つまたは複数の暗黙のアップリンクグラントを示す明示的なアップリンクグラントを、プライマリセルから、受信すること、および、前記１つまたは複数の暗黙のアップリンクグラントに従って、前記ＵＥがアップリンク上でデータの１つ又は複数のコピーを送信するように構成することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、前記データを備えるプロトコルデータユニット（ＰＤＵ）を、ＬＡＡセカンダリセルを介して、送信することと、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施することと、
前記アンライセンスまたは共有スペクトル上で、前記１つまたは複数の追加的なＣＣＡのうちの１つがそこにおいて成功する前記時間スロットに後続する時間スロットにおいて、前記データを備える前記ＰＤＵを、前記ＬＡＡセカンダリセルを介して、送信することと、
を備える、方法。
【請求項２】
前記１つまたは複数の追加的なＣＣＡの数は、前記１つまたは複数の暗黙のアップリンクグラントの数に等しい、請求項１に記載の方法。
【請求項３】
前記第１のＣＣＡを実施することは、拡張されたクリアチャネルアセスメント（ｅＣＣＡ）を実施することを備える、請求項１に記載の方法。
【請求項４】
前記１つまたは複数の追加的なＣＣＡを実施することは、１つまたは複数の拡張されたクリアチャネルアセスメント（ｅＣＣＡ）を実施することを備える、請求項１に記載の方法。
【請求項５】
前記ＰＤＵを送信することは、媒体アクセス制御（ＭＡＣ）ＰＤＵを送信することを備える、請求項１に記載の方法。
【請求項６】
前記アンライセンスまたは共有スペクトルは、５ＧＨｚバンドである、請求項１に記載の方法。
【請求項７】
請求項１〜６のうちのいずれか一項にしたがった方法を実施するための命令を備える、コンピュータプログラム。
【請求項８】
ライセンス支援アクセス（ＬＡＡ）システムにおいてアップリンク送信を管理するためのユーザ機器（ＵＥ）であって、
１つまたは複数の暗黙のアップリンクグラントを示す明示的なアップリンクグラントを、プライマリセルから、受信するための、および、前記１つまたは複数の暗黙のアップリンクグラントに従って、前記ＵＥがアップリンク上でデータの１つ又は複数のコピーを送信するように構成するための手段と、
第１の時間スロットにおいて、前記明示的なアップリンクグラントに応答して第１のクリアチャネルアセスメント（ＣＣＡ）を実施するための手段と、
を備え、前記ＵＥは、
前記第１のＣＣＡが成功する場合、アンライセンスまたは共有スペクトル上で、前記第１の時間スロットに後続する時間スロットにおいて、前記データを備えるプロトコルデータユニット（ＰＤＵ）を、ＬＡＡセカンダリセルを介して、送信するための手段と、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施するための手段と、
前記アンライセンスまたは共有スペクトル上で、前記１つまたは複数の追加的なＣＣＡのうちの１つがそこにおいて成功する前記時間スロットに後続する時間スロットにおいて、前記データを備える前記ＰＤＵを、前記ＬＡＡセカンダリセルを介して、送信するための手段と、
をさらに備える、ＵＥ。
【請求項９】
前記１つまたは複数の追加的なＣＣＡの数は、前記１つまたは複数の暗黙のアップリンクグラントの数に等しい、請求項８に記載のＵＥ。
【請求項１０】
前記第１のＣＣＡを前記実施するための手段は、拡張されたクリアチャネルアセスメント（ｅＣＣＡ）を実施するように適合される、請求項８に記載のＵＥ。
【請求項１１】
前記１つまたは複数の追加的なＣＣＡを前記実施するための手段は、１つまたは複数の拡張されたクリアチャネルアセスメント（ｅＣＣＡ）を実施するようにさらに適合される、請求項８に記載のＵＥ。
【請求項１２】
前記ＰＤＵを前記送信するための手段は、媒体アクセス制御（ＭＡＣ）ＰＤＵを送信するようにさらに適合される、請求項８に記載のＵＥ。
【請求項１３】
前記アンライセンスまたは共有スペクトルは、５ＧＨｚバンドである、請求項８に記載のＵＥ。
【発明の詳細な説明】
【関連出願の相互参照】
【０００１】
[0001]  本出願は、「TECHNIQUES FOR UPLINK TRANSMISSION MANAGEMENT」と題されて２０１６年５月１２日に出願された米国非仮出願第１５／１５３，６５６号、および「TECHNIQUES FOR UPLINK TRANSMISSION MANAGEMENT」と題されて２０１５年５月１４日に出願された米国仮出願第６２／１６１，８３９号の利益を主張し、それは参照によって全体がここに明示的に組み込まれる。
【背景技術】
【０００２】
[0002]  説明される態様は、一般にワイヤレス通信システムに関する。より具体的には、説明される態様は、ワイヤレス通信におけるアップリンク送信管理のための技法に関する。
【０００３】
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、単一キャリア周波数分割多元接続（ＳＣ−ＦＤＭＡ）システム、時分割同期符号分割多元接続（ＴＤ−ＳＣＤＭＡ）システム、および直交周波数分割多元接続（ＯＦＤＭＡ）システムを含む。
【０００４】
[0004]  これらの多元接続技術は、異なるワイヤレスデバイスが、都市、国家、地域、さらには地球規模で通信することを可能にする共通プロトコルを提供するために、様々な電気通信規格において採用されてきた。例示的な（example）電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格に対する拡張セットである。ＬＴＥは、ダウンリンク上ではＯＦＤＭＡを、アップリンク上ではＳＣ−ＦＤＭＡを使用し、かつ多入力多出力（ＭＩＭＯ）アンテナ技術を使用して、改善されたスペクトル効率、下げられたコスト、および改善されたサービスによってモバイルブロードバンドアクセスをサポートするように設計されている。しかしながら、モバイルブロードバンドアクセスに対する需要が増大し続けることで、ＬＴＥ技術におけるさらなる改善の必要性が存在する。これらの改善はまた、これらの技術を用いる電気通信規格および他のマルチアクセス（multi-access）技術にも適用可能であり得る。
【０００５】
[0005]  例として、ワイヤレス多元接続通信システムは、いくつかの基地局を含み得、それらの各々は、別名ユーザ装置（ＵＥ）、ワイヤレスデバイス、モバイルデバイス、または局（ＳＴＡ）として知られ得る複数の通信デバイスのための通信を同時にサポートする。基地局は、ダウンリンクチャネル（例えば、基地局からＵＥへの送信のための）およびアップリンクチャネル（例えば、ＵＥから基地局への送信のための）上で、通信デバイスと通信し得る。
【０００６】
[0006]  セルラネットワークの輻輳が増してきたことで、オペレータは、利用可能なネットワークリソースの使用を最大化する方法に目を向け始めている。１つのアプローチは、基地局と１つまたは複数の通信デバイスとの間のトラフィックをスケジューリングするために、アンライセンスまたは共有スペクトル（例えば、５ギガヘルツ（ＧＨｚ）バンド）を利用することを含み得る。ここで参照されるとき、アンライセンスまたは共有スペクトルにおいて動作するためにＬＴＥエアインタフェースに適応するワイヤレス通信システムは、ＬＴＥ−Ｕシステムまたはライセンス支援アクセス（ＬＡＡ）システムと称され得る。アンライセンススペクトルは、様々な方法でセルラシステムによって用いられ得る。例えば、いくつかのシステムでは、アンライセンススペクトルは、すべてのキャリアがワイヤレススペクトルのアンライセンス部分において排他的に動作している状態の、スタンドアロン構成において用いられ得る（例えば、ＬＴＥスタンドアロン（LTE（登録商標） Standalone））。他のシステムでは、アンライセンススペクトルは、ワイヤレススペクトルのライセンス部分において動作するアンカーライセンスキャリアと併せてワイヤレススペクトルのアンライセンス部分において動作する１つまたは複数のアンライセンスキャリアを利用することによって、ライセンスバンド動作に対して補完的である方法で用いられ得る（例えば、ＬＴＥ補完ダウンリンク（ＳＤＬ：LTE Supplemental DownLink））。
【０００７】
[0007]  ライセンススペクトルおよびアンライセンスまたは共有スペクトルにおける動作に関するそれぞれの要件が原因で、アップリンク送信は一般に、リッスンビフォアトーク（ＬＢＴ）アプローチを必要とする（subject to）。つまり、通信デバイス（例えば、ＵＥまたはＳＴＡ）が送信するためのアップリンクデータを有するとき、通信デバイスは、アップリンクチャネル上でいかなるデータを送信することにも先立って、チャネルチェック（例えば、クリアチャネルアセスメント（ＣＣＡ）または拡張されたクリアチャネルアセスメント（ｅＣＣＡ：extended clear channel assessment））を実施し得る。チャネルチェックの結果が、チャネルがアップリンク送信のために利用可能であると示す場合、すなわち、チャネルが使用についてクリア（clear for use）でありチャネルチェックが成功する場合、通信デバイスは次いで、その結果としてアップリンクデータを送信し得る。しかしながら、チャネルチェックの結果が、チャネルがアップリンク送信のために利用不可能であると示す場合、すなわち、チャネルが現在ビジーでありチャネルチェックが失敗（fails）する場合、通信デバイスは通常、後のある時間まで（until some later time）待たなければならない可能性があり、それは結果的にアップリンク送信遅延をもたらす。アップリンク送信において遅延を引き起こし得るライセンススペクトルおよびアンライセンスまたは共有スペクトルにおける動作の他の態様は、ハイブリッド自動再送要求（ＨＡＲＱ）動作の使用に関係する。
【０００８】
[0008]  故に、アンライセンスまたは共有スペクトルにおけるワイヤレス通信に適したアップリンク送信管理のためのメカニズムを提供する必要がある。
【発明の概要】
【０００９】
[0009]  以下は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意またはすべての態様の範囲を詳細に叙述するようにも、意図されていない。その唯一の目的は、後に提示されるより詳細な説明への前置きとして、簡略化された形式で１つまたは複数の態様のうちのいくつかの概念を提示することである。
【００１０】
[0010]  本開示はウィンドウサイズを構成するための技法の例を提示する。本開示の一態様では、ライセンス支援アクセス（ＬＡＡ）システムにおいてアップリンク送信を管理するための例示的な方法は、１つまたは複数の暗黙の（implicit）アップリンクグラントを示す明示的な（explicit）アップリンクグラントを受信することを含み得る。別の態様では、例示的な方法は、第１の時間スロットにおいて、明示的なアップリンクグラントに応答して第１のクリアチャネルアセスメント（ＣＣＡ）を実施することを含み得る。一態様では、例示的な方法は、第１のＣＣＡが成功する場合、アンライセンスまたは共有スペクトル上で、第１の時間スロットに後続する時間スロットにおいて、プロトコルデータユニット（ＰＤＵ）を送信することを含み得る。別の態様では、例示的な方法は、第１のＣＣＡが失敗する場合、１つまたは複数の暗黙のアップリンクグラントに応答して、第１の時間スロットに後続する１つまたは複数の時間スロットにおいて、１つまたは複数の追加的なＣＣＡをそれぞれ連続的に実施することを含み得る。
【００１１】
[0011]  別の態様では、ＬＡＡシステムにおいてアップリンク送信を管理するための例示的な方法は、１つまたは複数の暗黙のアップリンクグラントを示す明示的なアップリンクグラントを受信することを含み得る。一態様では、例示的な方法は、第１の時間スロットにおいて、明示的なアップリンクグラントに応答して第１のクリアチャネルアセスメント（ＣＣＡ）を実施することを含み得る。別の態様では、例示的な方法は、第１のＣＣＡが成功する場合、アンライセンスまたは共有スペクトル上で、第１の時間スロットの直後に後続する（immediately subsequent to）時間スロットにおいて、プロトコルデータユニット（ＰＤＵ）のコピーをそれぞれ送信することを含み得、ここにおいて、ＰＤＵの送信されるコピーの数（a number of transmitted copies）は、１つまたは複数の暗黙のアップリンクグラントに少なくとも部分的に基づく。
【００１２】
[0012]  一態様では、ＬＡＡシステムにおいてアップリンク送信を管理するための例示的な方法は、第１のハイブリッド自動再送要求（ＨＡＲＱ）処理に関連する第１のプロトコルデータユニット（ＰＤＵ）の送信についての第１の明示的なアップリンクグラントを受信することと、第２のＨＡＲＱ処理に関連する第２のＰＤＵの送信についての第２の明示的なアップリンクグラントを受信することであって、第２の明示的なアップリンクグラントは、第１の明示的なアップリンクグラントに後続して受信される、受信することと、を含み得る。別の態様では、例示的な方法は、第１の時間スロットにおいて、第１の明示的なアップリンクグラントに応答して第１のクリアチャネルアセスメント（ＣＣＡ）を実施することと、第２の時間スロットにおいて、第２の明示的なアップリンクグラントに応答して第２のＣＣＡを実施することと、を含み得る。別の態様では、例示的な方法は、第１のＣＣＡが失敗し、かつ第２のＣＣＡが成功する場合、アンライセンスまたは共有スペクトル上で、第２のＨＡＲＱ処理に関連して、第２の時間スロットに後続する時間スロットにおいて、第１のＰＤＵを送信するかまたは第２のＰＤＵを送信するかを決定することを含み得る。
【００１３】
[0013]  前述の目的および関連する目的を達成するために、１つまたは複数の態様が、以下に十分に説明され、かつ特許請求の範囲において具体的に示される特徴を備える。以下の説明および添付の図面は、１つまたは複数の態様のある特定の例示的な特徴を詳細に記載する。しかしながら、これらの特徴は、様々な態様の原理が用いられ得る様々な方法のうちのほんのいくつかを示しているのであって、本説明は、すべてのそのような態様およびそれらの同等物を含むように意図されている。
【図面の簡単な説明】
【００１４】
[0014]  開示された態様は、開示された態様を限定するためではなく例示するために提供される添付の図面と併せて以下で説明されることになり、ここで、同様の表記（designations）は同様の要素を意味する。
【図１】[0015]  図１は、アップリンク送信管理が実施され得るワイヤレス通信システムの例を例示する図である。
【図２Ａ】[0016]  図２Ａは、アップリンクグラントおよび送信管理のためのワイヤレス通信システムのコンポーネントの例を例示する図である。
【図２Ｂ】[0017]  図２Ｂは、アップリンクグラント管理のための、ワイヤレス通信システムにおけるネットワークエンティティ（例えば、基地局またはアクセスポイント）のコンポーネントの例を例示する図である。
【図２Ｃ】[0018]  図２Ｃは、アップリンク送信管理のための、ワイヤレス通信システムにおけるモバイルデバイス（例えば、ユーザ装置）のコンポーネントの例を例示する図である。
【図３】[0019]  図３は、アップリンク送信管理のためのワイヤレス通信システムのサブコンポーネントの例を例示する図である。
【図４Ａ】[0020]  図４Ａは、アップリンク送信に関する従来の動作の例を例示する図である。
【図４Ｂ】[0021]  図４Ｂは、アップリンク送信に関する従来の動作の別の例を例示する図である。
【図５Ａ】[0022]  図５Ａは、アップリンク送信管理の動作の例を例示する図である。
【図５Ｂ】[0023]  図５Ｂは、アップリンク送信管理の動作の別の例を例示する図である。
【図６】[0024]  図６は、アップリンク送信管理の動作のさらに別の例を例示する図である。
【図７】[0025]  図７は、ＬＡＡシステムにおけるアップリンク送信管理のための方法の例を例示するフローチャートである。
【図８】[0026]  図８は、ＬＡＡシステムにおけるアップリンク送信管理のための別の方法の例を例示するフローチャートである。
【図９】[0027]  図９は、ＬＡＡシステムにおけるアップリンク送信管理のためのさらに別の方法の例を例示するフローチャートである。
【図１０】[0028]  図１０は、処理システムを用いる装置のためのハードウェアインプリメンテーションの例を例示する図である。
【図１１】[0029]  図１１は、アップリンク送信管理のために構成された態様を有する、電気通信システムにおいてＵＥと通信しているネットワークエンティティ（例えば、基地局またはアクセスポイント）の例を例示する図である。
【詳細な説明】
【００１５】
[0030]  添付図面に関連して以下に記載される詳細な説明は、様々な構成の説明として意図されており、ここに説明される概念が実施され得るのはこれらの構成においてのみであることを表すようには意図されていない。詳細な説明は、様々な概念の徹底的な理解を提供することを目的として特定の詳細を含む。しかしながら、これらの概念がこれらの特定の詳細なしに実施され得ることは、当業者に明らかとなる。いくつかの事例では、そのような概念をあいまいにすることを避けるために、周知の構造およびコンポーネントは、ブロック図の形式で示される。
【００１６】
[0031]  電気通信システムのいくつかの態様が、これから様々な装置および方法に関連して提示される。これらの装置および方法は、続く詳細な説明において説明され、（「要素」と総称される）様々なブロック、コンポーネント、回路、プロセス、アルゴリズム等によって、添付図面に例示される。これらの要素は、電子ハードウェア、コンピュータソフトウェア、またはこれらの任意の組合せを使用してインプリメントされ得る。そのような要素が、ハードウェアとしてインプリメントされるか、またはソフトウェアとしてインプリメントされるかは、特定の用途およびシステム全体に課せられる設計制約に依存する。
【００１７】
[0032]  例として、要素、またはある要素の任意の部分、または複数の要素の任意の組合せは、１つまたは複数のプロセッサを含む「処理システム」としてインプリメントされ得る。プロセッサの例は、マイクロプロセッサ、マイクロコントローラ、グラフィックスプロセシングユニット（ＧＰＵ）、中央処理装置（ＣＰＵ）、アプリケーションプロセッサ、デジタルシグナルプロセッサ（ＤＳＰ）、ＲＩＳＣ（reduced instruction set computing）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能性（functionality）を実施するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語等の名称に関わらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味すると広く解釈されるべきである。
【００１８】
[0033]  様々な態様がこれより図面を参照して説明される。以下の説明には、説明を目的として、１つまたは複数の態様の完全な理解を提供するために、多数の特定の詳細が記載されている。しかしながら、そのような（１つまたは複数の）態様が、これらの特定の詳細なしに実施され得ることは、明らかであり得る。
【００１９】
[0034]  上述したように、伝統的なライセンスバンド（例えば、２．４ＧＨｚバンド）上での輻輳は、増え続ける帯域幅の需要を満たすためにワイヤレスワイドエリアネットワーク（ＷＷＡＮ）トラフィックをアンライセンスまたは共有スペクトル（例えば、５ＧＨｚバンド）にオフロードすることを、ネットワークオペレータに動機付けた。ＬＡＡシステムまたはアンライセンススペクトル上のＬＴＥシステム（ＬＴＥ−Ｕ）では、ＵＥからネットワークエンティティ（例えば、ｅノードＢ）へのアップリンク送信は、リッスンビフォアトーク（ＬＢＴ）原理を必要とする（subject to）。一態様では、ＵＥは、アップリンクチャネル上でデータを送信する前に、チャネルチェックを実施しなければならない可能性がある。チャネルチェックが失敗するとき、ＵＥがデータを送信するために後続のアップリンクグラントを待たなければならない可能性があるので、不必要な遅延が発生し得る。いくつかの他の例では、アップリンクデータ上で送信されるデータは、順序が狂った（out of order）ものであり得る。
【００２０】
[0035]  したがって、一態様では、ネットワークエンティティは、明示的なアップリンクグラントにおいて、１つまたは複数の暗黙のアップリンクグラントを含む、示す、または指定するように構成され得る。つまり、ＵＥがその明示的なアップリンクグラントを受信し、かつ第１のチャネルチェックが失敗するとき、ＵＥは、まるでＵＥが１つより多くの明示的なアップリンクグラントを受信したように、別のチャネルチェックを実施し得る。ここで参照されるとき、チャネルチェックは、チャネルがデータを送信するために利用可能であるかどうかを決定するための動作を指し得る。したがって、ＵＥは、アップリンク送信に遅延を引き起こし得る、ネットワークエンティティがいくつかの時間スロット後に別の明示的なアップリンクグラントを送信するのを待つこと、を必要としない可能性がある。さらに、別の態様では、ＵＥが暗黙のアップリンクグラントをそこに含む明示的なアップリンクグラントを受信するとき、ＵＥは、可能性のある（possible）再送信によって引き起こされる遅延が緩和され得るように、アップリンク上でデータの１つまたは複数のコピーを送信する（例えば、異なる冗長性情報を伴うコピーを送信する）ように構成され得る。
【００２１】
[0036]  別の態様では、プロトコルデータユニット（ＰＤＵ）のような第１のデータユニットが、失敗したチャネルチェックが原因で送信されることをブロックされる（例えば、ＰＤＵの送信が発生しない）とき、ＵＥは、第２のＰＤＵのための後続のアップリンクグラントをＵＥが受信するときに、第１のＰＤＵを送信するように構成され得る。したがって、時間における第１のＰＤＵ（a first PDU in time）は、他のＰＤＵの前に送信され得る。
【００２２】
[0037]  図１は、本開示の様々な態様に従ってアップリンク送信管理のための技法がそこにおいて実施され得る、ワイヤレス通信システム１００の例を例示する。ワイヤレス通信システム１００は、基地局１０５、スモールセルアクセスポイント（ＡＰ）１２０、モバイルデバイス１１５、およびコアネットワーク１３０を含む。本開示のいくつかの態様では、基地局１０５は、マクロセル基地局と称され得、ＡＰ１２０は、スモールセル基地局と称され得る。基地局１０５およびＡＰ１２０は、それらがネットワークアクセスをモバイルデバイス１１５に提供するように構成されているので、一般に複数のネットワークエンティティと称され得る。１つまたは複数のモバイルデバイス１１５は、ここでさらに説明されるように、アップリンク送信を管理するように構成されるアップリンク送信マネジャコンポーネント２０１を含み得る。もう一方の側では、１つまたは複数のネットワークエンティティ（例として基地局１０５）は、明示的なアップリンクグラント、または暗黙のアップリンクグラント、あるいはその両方を生成または管理するように構成されるアップリンクグラントマネジャコンポーネント２１１を含み得る。コアネットワーク１３０は、ユーザ認証、アクセス許可、トラッキング、インターネットプロトコル（ＩＰ）接続性、および他のアクセス、ルーティング、またはモビリティ機能を提供し得る。基地局１０５は、バックホールリンク１３２（例えば、Ｓ１等）を通してコアネットワーク１３０とインタフェースし得る。基地局１０５およびＡＰ１２０は、モバイルデバイス１１５と通信するためのスケジューリングおよび無線構成を実施し得る、または基地局コントローラ（示されていない）の制御下で動作し得る。様々な例において、基地局１０５およびＡＰ１２０は、ワイヤードまたはワイヤレス通信リンクであり得るバックホールリンク１３４（例えば、Ｘ２、ＯＴＡ（Over-the-air）等）上で、直接的にまたは間接的に（例えば、コアネットワーク１３０を通して）互いに通信し得る。本開示のいくつかの態様では、基地局１０５およびＡＰ１２０は、通信スケジューリングに関連するそれらのそれぞれのタイミングパラメータを共有し得る。
【００２３】
[0038]  基地局１０５およびＡＰ１２０は、１つまたは複数のアンテナを介してモバイルデバイス１１５とワイヤレスに通信し得る。基地局１０５およびＡＰ１２０の各々は、それぞれの地理的なカバレッジエリア１１０に通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得る。基地局１０５についての地理的なカバレッジエリア１１０−ａおよびＡＰ１２０についてのカバレッジエリア１１０−ｂは、カバレッジエリアの一部のみを構成するセクタ（示されていない）に分割され得る。ワイヤレス通信システム１００は、異なるタイプの基地局１０５およびＡＰ１２０（例えば、マクロまたはスモールセル基地局）を含み得る。異なる技術について重複している地理的なカバレッジエリア１１０が存在し得る。
【００２４】
[0039]  モバイルデバイス１１５は、通信リンク１２５を使用して基地局１０５およびＡＰ１２０を通して互いに通信し得る一方で、各モバイルデバイス１１５はまた、直接のワイヤレスリンク１３５を介して１つまたは複数の他のモバイルデバイス１１５と直接的に通信し得る。２つ以上のモバイルデバイス１１５は、両方のモバイルデバイス１１５が地理的なカバレッジエリア１１０にあるとき、または１つまたは複数のモバイルデバイス１１５がＡＰの地理的なカバレッジエリア１１０−ｂ内にあるとき、直接のワイヤレスリンク１３５を介して通信し得る。直接のワイヤレスリンク１３５の例は、Ｗｉ−Ｆｉダイレクト接続、Ｗｉ−Ｆｉ  ＴＤＬＳ（Tunneled Direct Link Setup）リンクを使用して確立された接続、および他のＰ２Ｐグループ接続を含み得る。他のインプリメンテーションでは、他のピアツーピア接続またはアドホックネットワークが、ワイヤレス通信システム１００内でインプリメントされ得る。
【００２５】
[0040]  いくつかの例では、ワイヤレス通信システム１００は、ＬＴＥ／ＬＴＥ−アドバンスト（ＬＴＥ−Ａ）ネットワークのようなワイヤレスワイドエリアネットワーク（ＷＷＡＮ）を含む。ＬＴＥまたはＬＴＥ−ＡのようなＷＷＡＮ技術は、アンライセンスまたは共有スペクトル上で動作するために適し得る。ＬＴＥ／ＬＴＥ−Ａネットワークにおいて、発展型ノードＢ（ｅＮＢ）という用語は、一般に基地局１０５を説明するために使用され得、一方でユーザ装置（ＵＥ）またはワイヤレスデバイスという用語は、一般にモバイルデバイス１１５を説明するために使用され得る。ワイヤレス通信システム１００は、異なるタイプのｅＮＢが様々な地理的領域にカバレッジを提供する異種のＬＴＥ／ＬＴＥ−Ａネットワークを含み得る。ワイヤレス通信システム１００はまた、ｅＣＣ動作をサポートし得、それは、アンライセンススペクトル上のＬＴＥのようにリッスンビフォアトーク（ＬＢＴ）を使用し得るが、アンライセンススペクトル上のＬＴＥとは異なるニューメロロジー（numerology）を有し得る。
【００２６】
[0041]  ワイヤレス通信システム１００はまた、いくつかの例では、ワイヤレスローカルエリアネットワーク（ＷＬＡＮ）もサポートし得る。ＷＬＡＮは、電気電子技術者協会（ＩＥＥＥ）８０２．１１ｘ規格ファミリ（「Ｗｉ−Ｆｉ」）に基づく技法を用いるネットワークであり得る。いくつかの例では、各ｅＮＢまたは基地局１０５およびＡＰ１２０は、マクロセル、スモールセル、または他のタイプのセルに通信カバレッジを提供し得る。「セル」という用語は、コンテキストに応じて、基地局、基地局に関連するキャリアまたはコンポーネントキャリア、あるいは基地局またはキャリアのカバレッジエリア（例えば、セクタ等）を説明するために使用され得る３ＧＰＰ用語である。
【００２７】
[0042]  マクロセルは一般に、相対的に広い地理的エリア（例えば、半径数キロメートル）をカバーし、ネットワークプロバイダにサービス加入しているモバイルデバイス１１５による無制限のアクセスを可能にし得る。スモールセルは、マクロセルと同じまたは異なる（例えば、ライセンス、アンライセンス等）周波数バンドで動作し得る、マクロセルと比較してより低い電力の基地局である。スモールセルは、様々な例に従って、ピコセル、フェムトセル、およびマイクロセルを含み得る。例えば、ピコセルは、狭い地理的エリアをカバーし得、ネットワークプロバイダにサービス加入しているモバイルデバイス１１５による無制限のアクセスを可能にし得る。フェムトセルはまた、狭い地理的エリア（例えば、住宅）をカバーし得、フェムトセルと関連のあるモバイルデバイス１１５（例えば、クローズド加入者グループ（ＣＳＧ）内のモバイルデバイス１１５、住宅内のユーザのためのモバイルデバイス１１５等）による制限付きのアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つのまたは複数（例えば、２つ、３つ、４つ等）のセル（例えば、コンポーネントキャリア）をサポートし得る。本開示のいくつかの態様では、基地局１０５は、マクロセル基地局と称され得、ＡＰ１２０は、スモールセル基地局と称され得る。
【００２８】
[0043]  ワイヤレス通信システム１００は、同期または非同期動作をサポートし得る。同期動作の場合、複数の基地局１０５は、同様のフレームタイミングを有し得、異なる基地局１０５からの送信は、時間的にほぼアライン(align)され得る。非同期動作の場合、複数の基地局１０５は、異なるフレームタイミングを有し得、異なる基地局１０５からの送信は、時間的にアラインされない可能性がある。ここに説明される技法は、同期動作または非同期動作のいずれにも使用され得る。
【００２９】
[0044]  様々な開示された例のうちのいくつかに順応（accommodate）し得る通信ネットワークは、レイヤ化されたプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネル上で通信するために、パケットセグメンテーションおよびリアセンブリを実施し得る。媒体アクセス制御（ＭＡＣ）レイヤは、優先処理（priority handling）、およびトランスポートチャネルへの論理チャネルの多重化を実施し得る。ＭＡＣレイヤはまた、リンク効率を改善するため、ＭＡＣレイヤにおける再送信を提供するために、ハイブリッド自動再送要求（ＨＡＲＱ）を使用し得る。制御プレーンでは、無線リソース制御（ＲＲＣ）プロトコルレイヤは、モバイルデバイス１１５と基地局１０５との間のＲＲＣ接続の確立、構成、および管理を提供し得る。ＲＲＣプロトコルレイヤはまた、ユーザプレーンのデータのための無線ベアラをサポートするコアネットワーク１３０のために使用され得る。物理（ＰＨＹ）レイヤにおいて、トランスポートチャネルは、物理チャネルにマッピングされ得る。
【００３０】
[0045]  モバイルデバイス１１５は、ワイヤレス通信システム１００全体に分散され得、各モバイルデバイス１１５は、固定式またはモバイルであり得る。モバイルデバイス１１５はまた、当業者によって、ユーザ装置（ＵＥ）、モバイル局、加入者局、ＳＴＡ、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得るかまたはそれらを含み得る。モバイルデバイス１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局等であり得る。モバイルデバイスは、マクロｅＮＢ、スモールセルｅＮＢ、リレイ基地局等を含む様々なタイプの基地局およびネットワーク装置と通信することが可能であり得る。いくつかの例では、デュアル無線ＵＥ１１５−ａは、（ＷＬＡＮ無線を使用して）ＡＰ１２０と、および（ＷＷＡＮ無線を使用して）基地局１０５とコンカレントに通信するように構成され得るＷＷＡＮ無線（示されていない）およびＷＬＡＮ無線（示されていない）を含み得る。
【００３１】
[0046]  ワイヤレス通信システム１００に示される通信リンク１２５は、モバイルデバイス１１５から基地局１０５またはＡＰ１２０へのアップリンク（ＵＬ）送信、または基地局１０５またはＡＰ１２０からモバイルデバイス１１５へのダウンリンク（ＤＬ）送信を含み得る。ダウンリンク送信はフォワードリンク送信とも呼ばれ得、一方でアップリンク送信はリバースリンク送信とも呼ばれ得る。各通信リンク１２５は、１つまたは複数のキャリアを含み得、ここで、各キャリアは、上述した様々な無線技術に従って変調された複数のサブキャリア（例えば、異なる周波数の波形信号）から構成される信号であり得る。各変調信号は、異なるサブキャリア上で送られ得、制御情報（例えば、基準信号、制御チャネル等）、オーバヘッド情報、ユーザデータ等を搬送し得る。通信リンク１２５は、（例えば、ペアのスペクトルリソースを使用した）周波数分割複信（ＦＤＤ）、または（例えば、ペアになっていないスペクトルリソースを使用した）時分割複信（ＴＤＤ）動作を使用して、双方向通信を送信し得る。ＦＤＤのためのフレーム構造（例えば、フレーム構造タイプ１）およびＴＤＤのためのフレーム構造（例えば、フレーム構造タイプ２）が定義され得る。
【００３２】
[0047]  通信リンク１２５は、ライセンススペクトル、またはアンライセンススペクトル、あるいはその両方のリソースを利用し得る。大まかに言って、いくつかの管轄におけるアンライセンススペクトルは、６００メガヘルツ（ＭＨｚ）〜６ギガヘルツ（ＧＨｚ）の範囲にわたり得るが、その範囲に限定される必要はない。よってここで使用される場合、「アンライセンススペクトル」または「共有スペクトル」という用語は、それらのバンドの周波数に関係なく、ＩＳＭ（industrial, scientific and medical）無線バンドを指し得る。「アンライセンススペクトル」または「共有スペクトル」は、コンテンションベースの通信システムで使用されるスペクトルを指し得る。加えて、「ライセンススペクトル」または「セルラスペクトル」という用語は、所管官庁から行政上の許可を受けて（under administrative license from a governing agency）ワイヤレスネットワークオペレータによって利用されるワイヤレススペクトルを指すために、ここで使用され得る。
【００３３】
[0048]  ワイヤレス通信システム１００はまた、複数のセルまたはキャリア上での動作、つまりキャリアアグリゲーション（ＣＡ）またはマルチキャリア動作と称され得る特徴をサポートし得る。キャリアはまた、コンポーネントキャリア（ＣＣ）、レイヤ、チャネル等とも称され得る。「キャリア」、「コンポーネントキャリア」、「セル」および「チャネル」という用語は、ここで置換え可能に使用され得る。モバイルデバイス１１５は、キャリアアグリゲーションのために複数のダウンリンクＣＣおよび１つまたは複数のアップリンクＣＣで構成され得る。キャリアアグリゲーションは、ＦＤＤおよびＴＤＤコンポーネントキャリアの両方で使用され得る。
【００３４】
[0049]  図２Ａは、アップリンクグラントおよび送信管理のためのワイヤレス通信システムの例示的なコンポーネントを例示する図である。表されるように、ＵＥ１１５は、プライマリセル２０５および／またはＬＡＡセカンダリセル２０３を介してコアネットワーク１３０に関連するネットワークエンティティ２２０と通信している可能性がある。いくつかの例では、ネットワークエンティティ２２０は、基地局、トランシーバ基地局、アクセスポイント、無線トランシーバ、ノードＢ、ｅノードＢ（ｅＮＢ）、ホームノードＢ、ホームｅノードＢ、または何らかの他の適切な用語で呼ばれ得る。いくつかの態様では、プライマリセル２０５は、ライセンススペクトルで提供される接続性サービス（connectivity service）を指し得、ＬＡＡセカンダリセル２０３は、アンライセンススペクトルで提供される接続性サービスを指し得る。ＵＥ１１５は、プライマリセル２０５を介して、アップリンクグラントを含むシグナリングを受信し、ＬＡＡセカンダリセル２０３を介してデータ（例えば、ＰＤＵ）を送信し得る。
【００３５】
[0050]  さらに、ＵＥ１１５は、グラント受信機２０２、チャネル検査器（channel examiner）２０４、データ送信機２０６、バッファマネジャ２０８、および送信決定器２１０を含むアップリンク送信マネジャコンポーネント２０１を実行するように構成され得る。ネットワークエンティティ２２０は、明示的なアップリンクグラント２１２および少なくとも１つの暗黙のアップリンクグラント２１４を生成するためにアップリンクグラントマネジャコンポーネント２１１を実行するように構成され得る。
【００３６】
[0051]  一態様では、アップリンクグラントマネジャコンポーネント２１１は、ＵＥ１１５によって受信されるとき、ＵＥ１１５がアップリンク上であるデータ量（an amount of data）を送信することを許可されていることを示す明示的なアップリンクグラント２１２を生成し得る。明示的なアップリンクグラント２１２はまた、アップリンク上での送信が許可されたデータの最大サイズを含み得る。明示的なアップリンクグラント２１２を生成することに加えて、アップリンクグラント管理処理２１１は、明示的なアップリンクグラント２１２内に１つまたは複数の暗黙のアップリンクグラント２１４をさらに含み得るか、さもなければ示し得る。言い換えれば、暗黙のアップリンクグラント２１４の各々は、アップリンク上で該データ量（the amount of data）を送信することをＵＥ１１５に許可し得る。アップリンクグラントマネジャコンポーネント２１１は、ワイヤレス通信システム１００のカバレッジ内のＵＥの総数を含むファクタに基づいて、暗黙のアップリンクグラント２１４の数を決定し得る。
【００３７】
[0052]  別の態様では、明示的なアップリンクグラント２１２がプライマリセル２０５を介して時間スロットｎにおいてＵＥ１１５のグラント受信機２０２によって受信されるとき、チャネル検査器２０４は、アップリンクチャネル上でデータを送信することに先立って、チャネルチェックを実施し得る。チャネルチェックが成功する、すなわちアップリンクチャネルがデータを送信するために利用可能である場合、データ送信機２０６は、ＬＡＡセカンダリセル２０３を介してアップリンクチャネル上でデータを送信し得る。チャネルチェックが失敗する、すなわちアップリンクチャネルがデータを送信するために利用可能でない場合、バッファマネジャ２０８は、ＨＡＲＱ処理に関連するＨＡＲＱバッファ、例えばＨＡＲＱバッファ２０７に、データ、例えば第１のＰＤＵを、記憶し得る。さらに、送信決定器２１０は、１つまたは複数のＰＤＵが前の（previous）失敗したチャネルチェックが原因でＨＡＲＱバッファに記憶されている場合、いずれのデータが送信されるべきかを決定し得る。そのような決定は、図３にさらに説明される１つまたは複数のファクタに基づいて実施され得る。加えて、ネットワークエンティティ２２０およびＵＥ１１５のコンポーネントの他の態様は、図２Ｂおよび図２Ｃに従ってそれぞれ詳細に説明される。
【００３８】
[0053]  図２Ｂに関して、一態様では、コアネットワーク１３０に関連するネットワークエンティティ２２０（例えば、基地局またはアクセスポイント）は、プライマリセル２０５および／またはＬＡＡセカンダリセル２０３を介してＵＥ１１５と通信している可能性がある。いくつかの態様では、プライマリセル２０５は、ライセンススペクトルで提供される接続性サービスを指し得、ＬＡＡセカンダリセル２０３は、アンライセンススペクトルで提供される接続性サービスを指し得る。ネットワークエンティティ２２０は、プライマリセル２０５を介して、アップリンクグラントを含むシグナリングを送信し、ＬＡＡセカンダリセル２０３を介してデータ（例えば、ＰＤＵ）を受信し得る。
【００３９】
[0054]  一態様では、ネットワークエンティティ２２０は、例えば、説明されたシグナリングメッセージ、またアップリンクグラントおよび／またはアップリンク送信管理に対応する任意のメッセージを含む無線送信を受信および送信するための１つまたは複数のアンテナ２２２、ＲＦフロントエンド２２４、およびトランシーバ２２６を含み得る。ＲＦフロントエンド２２４は、１つまたは複数のアンテナ２２２に接続され得る。ＲＦフロントエンド２２４は、例えばアップリンクチャネルおよびダウンリンクチャネル上でＲＦ信号を送信および受信するための、１つまたは複数の低雑音増幅器（ＬＮＡ）（示されていない）、１つまたは複数のスイッチ（示されていない）、１つまたは複数の電力増幅器（ＰＡ）（示されていない）、および１つまたは複数のフィルタ（示されていない）を含み得る。ＲＦフロントエンド２２４は単なる例示的な構成であり、一態様では、ＲＦフロントエンド２２４に関する他の構成が、ネットワークエンティティ２２０によって使用され得る。一態様では、ＲＦフロントエンド２２４のコンポーネントは、トランシーバ２２６と接続し得る。トランシーバ２２６は、１つまたは複数のプロセッサ２３０に接続し得る。
【００４０】
[0055]  別の態様では、ネットワークエンティティ２２０は、アップリンクグラントマネジャコンポーネント２１１と組み合せて動作し得る１つまたは複数のプロセッサ２３０を含み得、それは、ここに説明されるアップリンクグラントおよび／またはアップリンク送信管理のための、明示的なアップリンクグラント２１２および／または少なくとも１つの暗黙のアップリンクグラント２１４を生成し得る。一態様では、１つまたは複数のプロセッサ２３０は、１つまたは複数のモデムプロセッサを使用するモデム２３２を含み得る。別の態様では、１つまたは複数のプロセッサ２３０は、少なくともメモリ２２８に通信可能に結合され得、ここでメモリ２２８は、アップリンクグラントおよび／またはアップリンク送信管理を処理（handling）するための命令を記憶するように構成され得る。
【００４１】
[0056]  図２Ｃに関して、一態様では、ＵＥ１１５は、プライマリセル２０５および／またはＬＡＡセカンダリセル２０３を介してコアネットワーク１３０に関連するネットワークエンティティ２２０と通信している可能性がある。いくつかの態様では、プライマリセル２０５は、ライセンススペクトルで提供される接続性サービスを指し得、ＬＡＡセカンダリセル２０３は、アンライセンススペクトルで提供される接続性サービスを指し得る。ＵＥ１１５は、プライマリセル２０５を介して、アップリンクグラントを含むシグナリングを受信し、ＬＡＡセカンダリセル２０３を介してデータ（例えば、ＰＤＵ）を送信し得る。
【００４２】
[0057]  一態様では、ＵＥ１１５は、例えば、説明されたシグナリングメッセージ、またアップリンク送信マネジャコンポーネント２０１の動作に対応する任意のメッセージを含む、無線送信を受信および送信するためのＲＦフロントエンド２２３およびトランシーバ２３７を含み得る。ＲＦフロントエンド２２３は、１つまたは複数のアンテナ２２１に接続され得る。ＲＦフロントエンド２２３は、例えば、ＲＦ信号を送信および受信するための、１つまたは複数の低雑音増幅器（ＬＮＡ）２２５、１つまたは複数のスイッチ２２７、２２９、２３５、１つまたは複数の電力増幅器（ＰＡ）２３３、および１つまたは複数のフィルタ２３１を含み得る。ＲＦフロントエンド２２３は単なる例示的な構成であり、一態様では、ＲＦフロントエンド２２３に関する他の構成が、ＵＥ１１５によって使用され得る。一態様では、ＲＦフロントエンド２２３のコンポーネントは、トランシーバ２３７と接続し得る。トランシーバ２３７は、１つまたは複数のプロセッサ２４１に接続し得る。
【００４３】
[0058]  一態様では、ＬＮＡ２２５は、所望の出力レベルで受信信号を増幅し得る。一態様では、各ＬＮＡ２２５は、指定された最小および最大利得値を有し得る。一態様では、ＲＦフロントエンド２２３は、特定のアプリケーションのための所望の利得値に基づいて特定のＬＮＡ２２５およびそれの指定された利得値を選択するために、１つまたは複数のスイッチ２２７、２２９を使用し得る。
【００４４】
[0059]  さらに、例えば、１つまたは複数のＰＡ２３３は、所望の出力電力レベルでのＲＦ出力のために信号を増幅するため、ＲＦフロントエンド２２３によって使用され得る。一態様では、各ＰＡ２３３は、指定された最小および最大利得値を有し得る。一態様では、ＲＦフロントエンド２２３は、特定のアプリケーションのための所望の利得値に基づいて特定のＰＡ２３３およびそれの指定された利得値を選択するために、１つまたは複数のスイッチ２２９、２３５を使用し得る。
【００４５】
[0060]  また、例えば、１つまたは複数のフィルタ２３１は、受信信号をフィルタして入力ＲＦ信号を取得するために、ＲＦフロントエンド２２３によって使用され得る。同様に、一態様では、例えば、それぞれのフィルタ２３１は、それぞれのＰＡ２３３からの出力をフィルタして、送信するための出力信号を生み出すために使用され得る。一態様では、各フィルタ２３１は、特定のＬＮＡ２２５および／またはＰＡ２３３に接続され得る。一態様では、ＲＦフロントエンド２２３は、トランシーバ２３７および／またはプロセッサ２４１によって指定された構成に基づいて、指定されたフィルタ２３１、ＬＮＡ２２５、および／またはＰＡ２３３を使用して送信または受信経路を選択するために、１つまたは複数のスイッチ２２７、２２９、２３５を使用し得る。
【００４６】
[0061]  一態様では、ＵＥ１１５は、ここに説明されるように、アップリンク送信を管理するためのアップリンク送信マネジャコンポーネント２０１と組み合せて動作し得る１つまたは複数のプロセッサ２４１を含み得る。一態様では、アップリンク送信マネジャコンポーネント２０１は、グラント受信機２０２、チャネル検査器２０４、データ送信機２０６、バッファマネジャ２０８、および送信決定器２１０を含み得る。別の態様では、バッファマネジャ２０８は、１つまたは複数のＨＡＲＱバッファ２０７に関連し得る。一態様では、１つまたは複数のプロセッサ２４１は、１つまたは複数のモデムプロセッサを使用するモデム２４３を含み得る。別の態様では、１つまたは複数のプロセッサ２４１は、少なくともメモリ２３９に通信可能に結合され得、ここでメモリ２３９は、アップリンク送信管理を処理するための命令を記憶するように構成され得る。
【００４７】
[0062]  アップリンク送信マネジャコンポーネント２０１に関する様々な機能が、モデム２４３および／または１つまたは複数のプロセッサ２４１に含まれ得、かつ、一態様では、単一のプロセッサによって実行され得、一方で他の態様では、それら機能のうちの異なるものが、２つ以上の異なるプロセッサの組合せによって実行され得る。例えば、一態様では、１つまたは複数のプロセッサ２４１は、トランシーバ２３７に関連するトランシーバプロセッサ、または送信プロセッサ、またはデジタルシグナルプロセッサ、またはベースバンドプロセッサ、またはモデムプロセッサのうちのいずれの１つ、またはそれらのいかなる組合せも含み得る。具体的には、１つまたは複数のプロセッサ２４１は、グラント受信機２０２、チャネル検査器２０４、データ送信機２０６、バッファマネジャ２０８、および送信決定器２１０に限定されるわけではないがそれらを含む、アップリンク送信マネジャコンポーネント２０１に含まれる機能を実行し得る。一態様では、バッファマネジャ２０８は、１つまたは複数のＨＡＲＱバッファ２０７に関連し得る。加えて、アップリンク送信マネジャコンポーネント２０１のコンポーネントのいくつかの他の態様は、図４Ａ、図４Ｂ、図５Ａ、図５Ｂ、および図６に従ってより詳細に説明される。
【００４８】
[0063]  図３は、アップリンク送信管理のためのワイヤレス通信システムの例示的なサブコンポーネントを例示する図である。表されるように、送信決定器２１０は、持続時間３０２および許可されたサイズ（granted size）３０４に基づいて、いずれのデータがアップリンクチャネル上で送信されるかを決定し得る。
【００４９】
[0064]  ここで参照されるとき、持続時間３０２は、２つの連続した明示的なアップリンクグラント間の時間期間を指し得る。許可されたサイズ３０４は、明示的なアップリンクグラントに応答してアップリンクチャネル上で送信され得るデータの最大サイズを示すサイズ限定を指し得る。送信決定器２１０のサブコンポーネントの他の態様は、図４Ａ、図４Ｂ、図５Ａ、図５Ｂ、および図６に従ってより詳細に説明される。
【００５０】
[0065]  図４Ａは、アップリンク送信に関する従来の動作の例を例示する図である。図４Ｂは、アップリンク送信に関する従来の動作の別の例を例示する図である。簡潔さのために、アップリンク送信は、成功したチャネルチェックの直後に後続して発生するように例示される。
【００５１】
[0066]  図４Ａについて、第１の問題（issue）は、失敗したチャネルチェックが原因でアップリンクデータ送信が遅延されることである。図４Ａに表されるように、従来は、グラント受信機２０２が時間スロットｎにおいて明示的なアップリンクグラント４０１を受信するとき、チャネル検査器２０４は、データを送信することに先立ってチャネルチェックを実施し得る。例えば、失敗したＣＣＡ４０５と示されるように、チャネルチェックが失敗する場合、データ送信機２０６は、例えば、時間スロットｎ＋４、または任意の他の所定の時間スロットにおいて、ブロックされたＵＬ送信４０６と示されるように、アップリンクチャネル上でデータを送信しない可能性がある。したがって、アップリンク送信マネジャコンポーネント２０１は、ブロックされたデータを送信するために、ネットワークエンティティ２２０からの別の明示的なアップリンクグラント２１２を待たなければならない可能性がある。例えば、グラント受信機２０２が時間スロットｎ＋８において別の明示的なアップリンクグラント４０３を受信するとき、チャネル検査器２０４は、データを送信することに先立って、別のチャネルチェックを実施し得る。例えば成功したＣＣＡ４０７と示されるように、チャネルチェックが成功する場合、データ送信機２０６は、時間スロットｎ＋１２において、ＵＬ送信４０８と示されるように、データを送信し得る。
【００５２】
[0067]  図４Ｂについて、第２の問題は、アップリンクチャネル上で送信されるＰＤＵが順序が狂ったものであり得ることである。図４Ｂに表されるように、従来は、グラント受信機２０２は、ネットワークエンティティ２２０から第１のＨＡＲＱ処理に関連する明示的なアップリンクグラント４１３を同様に受信し得る。チャネル検査器２０４はまた、データを送信することに先立ってチャネルチェックを実施し得る。失敗したＣＣＡ４０９と示されるように、チャネルチェックが失敗する場合、ＭＡＣ  ＰＤＵは、例えば、ブロックされたＭＡＣ  ＰＤＵ４１０と示されるように、送信をブロックされ得る。ブロックされたＭＡＣ  ＰＤＵ４１０は、さらなる明示的なアップリンクグラントに応答して送信されることを待ちつつ、バッファマネジャ２０８によって、第１のＨＡＲＱ処理に関連するＨＡＲＱバッファに一時的に記憶され得る。その一方で、グラント受信機２０２は、第２のＨＡＲＱ処理に関連する別の明示的なアップリンクグラント４１５を受信し得る。チャネル検査器２０４はその結果として、データ送信に先立ってチャネルチェックを実施し得る。例えば成功したＣＣＡ４１１と示されるように、チャネルチェックが成功する場合、データ送信機２０６は、アップリンクチャネル上でＭＡＣ  ＰＤＵ４１２を送信し得る。しかしながら、ブロックされたＭＡＣ  ＰＤＵ４１０は、時間においてＭＡＣ  ＰＤＵ４１２に先立って送信されるべきＰＤＵであり得るので、したがってネットワークエンティティ２２０は、ＭＡＣ  ＰＤＵ４１２が成功裡に（successfully）受信されたときでさえも、ブロックされたＭＡＣ  ＰＤＵ４１０が送信されるのを待ち、そしてＭＡＣ  ＰＤＵ４１２およびブロックされたＭＡＣ  ＰＤＵ４１０を再順序付けしなければならない可能性がある。
【００５３】
[0068]  図５Ａは、アップリンク送信管理の動作の例を例示する図であり、図５Ｂは、アップリンク送信管理の動作の別の例を例示する図である。
【００５４】
[0069]  図５Ａは、図４Ａに例示された第１の問題に対処するための例示的なアプローチを提供する。図５Ａに表されるように、グラント受信機２０２は、時間スロットｎにおいて、明示的なアップリンクグラント５０１を、そこに含まれる１つまたは複数の暗黙のアップリンクグラント５０３（図５Ａにおいて２つの暗黙のアップリンクグラントと示される）と共に、受信し得る。第１のチャネルチェックが時間スロットｎ＋３において失敗するとき（例えば、失敗したＣＣＡ５０２のうちの１つ）、時間スロットｎ＋８における別の明示的なアップリンクグラントを待つのではなく、チャネル検査器２０４は、後続の時間スロットにおいて、１つまたは複数の追加的なチャネルチェックを実施し得る。例えば、チャネル検査器２０４は、後続の時間スロットｎ＋４およびｎ＋５において、追加的なチャネルチェックを即座に（immediately）実施し得る。追加的なチャネルチェックの数は、暗黙のアップリンクグラント５０３の数と等しくなり得る。追加的なチャネルチェックのうちの１つが成功する場合、データ送信機２０６は、アップリンクチャネル上でデータを続いて送信し得る。例えば、追加的なチャネルチェックが、時間スロットｎ＋５において成功し得（成功したＣＣＡ５０４と示される）、データ送信機２０６は、その結果として時間スロットｎ＋６においてアップリンクチャネル上でデータを送信し得る（ＵＬ送信５０６と示される）。したがって、ＵＥ１１５は、データを送信するために、例えば図４Ａに示されるような時間スロットｎ＋１２等の後の時間スロットまで待つ必要がない可能性があり、不必要な遅延が緩和され得る。
【００５５】
[0070]  一態様では、ＵＥ１１５が暗黙のアップリンクグラントを処理している間にグラント受信機２０２が別の明示的なアップリンクグラントを受信する場合、明示的なアップリンクグラントは、暗黙のアップリンクグラントが処理された後に遅延され得る。
【００５６】
[0071]  さらに、明示的なまたは暗黙のアップリンクグラントの各々は、所定の持続時間後に終了し得る。
【００５７】
[0072]  図５Ｂは、図４Ａに例示された第１の問題に対処するための別の例示的なアプローチを提供する。図５Ｂに表されるように、グラント受信機２０２は、時間スロットｎにおいて、明示的なアップリンクグラント５０８を、そこに含まれる１つまたは複数の暗黙のアップリンクグラント５０９（図５Ｂにおいて２つの暗黙のアップリンクグラントと示される）と共に、受信し得る。チャネル検査器２０４は、時間スロットｎ＋３において、チャネルチェックを実施し得、チャネルチェックが成功するとき（成功したＣＣＡ５１０と示される）、データ送信機２０６は、後続の時間スロット、例えば時間スロットｎ＋４、ｎ＋５、およびｎ＋６において、データの複数のコピーをそれぞれ送信し得る。データの各コピーは、例えば異なる冗長性情報を含む異なる冗長性の１つのバージョンであり得る。コピーの数は、暗黙のアップリンクグラント５０９の数および失敗したチャネルチェックの数に基づいて決定され得る。例えば、グラント受信機２０２が明示的なアップリンクグラント５０８および２つの暗黙のアップリンクグラント５０９を受信し、かつ時間における第１のチャネルチェックが成功するとき（例えば、成功したＣＣＡ５１０）、データ送信機２０６は、データの３つのコピーを、成功したＣＣＡ５１０に後続する時間スロットにおいて、各々送信し得る。時間における第１のチャネルチェックが失敗するとき、チャネル検査器２０４は、第１のチャネルチェックに後続する時間スロットにおいて、第２のチャネルチェックを実施し得る。いくつかの例では、チャネル検査器２０４は、第１のチャネルチェックの直後に後続する時間スロットにおいて、第２のチャネルチェックを実施し得、第２のチャネルチェックが成功する場合、データ送信機２０６は、アップリンクチャネル上でデータの２つのコピーのみを送信し得る。
【００５８】
[0073]  図６は、図４Ｂにおける第２の問題に対処するための例示的なアプローチを提供する。図６に表されるように、グラント受信機２０２は、プライマリセル４０２を介して時間スロットｎにおいて明示的なアップリンクグラント６０２を受信し得る。明示的なアップリンクグラント６０２は、ＵＥ１１５がＭＡＣ  ＰＤＵ６０６を送信することを許可されていることを示し得、ＭＡＣ  ＰＤＵ６０６は、第１のＨＡＲＱ処理に関連する。チャネル検査器２０４は、時間スロットｎ＋３においてチャネルチェックを実施し得る。チャネルチェックが失敗する場合（失敗したＣＣＡ６１０と示される）、ＭＡＣ  ＰＤＵは、時間スロットｎ＋４において送信されることをブロックされ得、第１のＨＡＲＱ処理に関連するバッファ、例えばＨＡＲＱバッファ６２０に記憶され得る。後の時間において、グラント受信機２０２は、時間スロットｎ＋４において、ＵＥ１１５が第２のＨＡＲＱ処理に関連する別のＭＡＣ  ＰＤＵ（示されていない）を送信することを許可されていることを示す明示的なアップリンクグラント６０４を受信し得る。チャネル検査器２０４は、時間スロットｎ＋７において、同様にチャネルチェックを実施し得る。チャネルチェックが成功する場合（成功したＣＣＡ６０８と示される）、送信決定器２１０は、持続時間３０２、すなわち明示的なアップリンクグラント６０２の受信と６０４の受信との間の時間期間、および許可されたサイズ３０４、すなわち明示的なアップリンクグラント６０４に従って送信され得るデータの最大サイズ、を含む１つまたは複数のファクタに基づいて、ＭＡＣ  ＰＤＵ６０６を送信するかどうかを決定し得る。例えば、持続時間３０２が所定のしきい値よりも大きい場合、それは、ＭＡＣ  ＰＤＵ６０６をリトリーブする（retrieve）ための動作を実施するためにＵＥ１１５が十分な時間を有することを示し、送信決定器２１０は、第２のＨＡＲＱ処理に本来関連する他のＭＡＣ  ＰＤＵではなくＭＡＣ  ＰＤＵ  ６０６を送信することを、決定し得る。別の例として、許可されたサイズ３０４がＭＡＣ  ＰＤＵ６０６のサイズよりも大きい場合、送信決定器２１０は、ＭＡＣ  ＰＤＵ６０６、およびことによると第２のＨＡＲＱ処理に本来関連する他のＭＡＣ  ＰＤＵの一部を送信することを決定し得る。したがって、ネットワークエンティティ２２０は、ＰＤＵを正しい順序で受信し得る。
【００５９】
[0074]  いくつかの態様では、ＭＡＣ  ＰＤＵ６０６を送信することに先立って、バッファマネジャ２０８は、第１のＨＡＲＱ処理に関連するＨＡＲＱバッファ、例えばＨＡＲＱバッファ６２０から、第２のＨＡＲＱ処理に関連する別のＨＡＲＱバッファ、例えばＨＡＲＱバッファ６２２に、ＭＡＣ  ＰＤＵ６０６を移動させ得る。別の態様では、ＭＡＣ  ＰＤＵ６０６がアップリンクチャネル上で成功裡に送信される場合、ＵＥ１１５においてＭＡＣ  ＰＤＵ６０６を記憶したバッファは、クリアされ得る。
【００６０】
[0075]  図７は、ＬＡＡシステムにおけるアップリンク送信管理のための例示的なフローチャートである。方法７００は、図１〜３を参照して説明された複数のＵＥ１１５のうちのいくつかのものを参照して以下で説明される。
【００６１】
[0076]  ７０２において、方法７００は、グラント受信機２０２が、１つまたは複数の暗黙のアップリンクグラントを示す明示的なアップリンクグラントを受信することを含み得る。例えば、グラント受信機２０２は、時間スロットｎにおいて、明示的なアップリンクグラント５０１を、そこに含まれる１つまたは複数の暗黙のアップリンクグラント５０３（図５Ａにおいて２つの暗黙のアップリンクグラントと示される）と共に、受信し得る。
【００６２】
[0077]  ７０４において、チャネル検査器２０４は、第１の時間スロットにおいて、明示的なアップリンクグラントに応答して第１のクリアチャネルアセスメント（ＣＣＡ）を実施し得る。例えば、チャネル検査器２０４は、時間スロットｎ＋３においてチャネルチェックを実施し得る。
【００６３】
[0078]  ７０６において、ＵＥ１１５のアップリンク送信マネジャコンポーネント２０１は、第１のＣＣＡが成功するかどうかを決定し得る。一態様では、アップリンク送信マネジャコンポーネント２０１が第１のＣＣＡが成功することを決定するとき、ＵＥ１１５は、７０８に進み得、データ送信機２０６は、アンライセンスまたは共有スペクトル上で、第１の時間スロットに後続する時間スロットにおいて、ＰＤＵを送信し得る。例えば、チャネルチェックが時間スロットｎ＋３において成功する場合、データ送信機２０６は、時間スロットｎ＋４においてデータを即座に送信し得る。
【００６４】
[0079]  別の態様では、第１のＣＣＡが成功しないことをアップリンク送信マネジャコンポーネント２０１が決定するとき、ＵＥ１１５は、７１０に進み得、チャネル検査器２０４は、１つまたは複数の暗黙のアップリンクグラントに応答して、第１の時間スロットに後続する１つまたは複数の時間スロットにおいて、１つまたは複数の追加的なＣＣＡをそれぞれ連続的に実施し得る。例えば、第１のチャネルチェックが時間スロットｎ＋３において失敗するとき（例えば、失敗したＣＣＡ５０２のうちの１つ）、時間スロットｎ＋８における別の明示的なアップリンクグラントを待つのではなく、チャネル検査器２０４は、時間スロットｎ＋４およびｎ＋５において、１つまたは複数の追加的なチャネルチェックを実施し得る。追加的なチャネルチェックの数は、暗黙のアップリンクグラント５０３の数と等しくなり得る。追加的なチャネルチェックのうちの１つが成功する場合、データ送信機２０６は、アップリンクチャネル上でデータを続いて送信し得る。例えば、追加的なチャネルチェックが、時間スロットｎ＋５において成功し得（成功したＣＣＡ５０４と示される）、データ送信機２０６は、その結果として時間スロットｎ＋６においてアップリンクチャネル上でデータを送信し得る（ＵＬ送信５０６と示される）。したがって、ＵＥ１１５は、データを送信するために、例えば時間スロットｎ＋１２等の後の時間スロットまで待つ必要がない可能性があり、不必要な遅延が緩和され得る。
【００６５】
[0080]  図７の別の態様では、ライセンス支援アクセス（ＬＡＡ）システムにおいてアップリンク送信を管理するための例示的な装置が提供される。一態様では、装置は、１つまたは複数の暗黙のアップリンクグラントを示す明示的なアップリンクグラントを受信するための手段を含む。一態様では、装置はまた、第１の時間スロットにおいて、明示的なアップリンクグラントに応答して第１のクリアチャネルアセスメント（ＣＣＡ）を実施するための手段を含む。別の態様では、装置は、第１のＣＣＡが成功する場合、アンライセンスまたは共有スペクトル上で、第１の時間スロットに後続する時間スロットにおいて、プロトコルデータユニット（ＰＤＵ）を送信するための手段を含む。一態様では、装置はまた、第１のＣＣＡが失敗する場合、１つまたは複数の暗黙のアップリンクグラントに応答して、第１の時間スロットに後続する１つまたは複数の時間スロットにおいて、１つまたは複数の追加的なＣＣＡをそれぞれ連続的に実施するための手段を含み得る。別の態様では、装置は、第１のＣＣＡが失敗する場合、アンライセンスまたは共有スペクトル上で、１つまたは複数の追加的なＣＣＡのうちの１つがそこにおいて成功する時間スロットに後続する時間スロットにおいて、ＰＤＵを送信するための手段を含む。
【００６６】
[0081]  図７の一態様では、ライセンス支援アクセス（ＬＡＡ）システムにおいてアップリンク送信を管理するためのコンピュータ実行可能コードを記憶する例示的なコンピュータ読み取り可能な媒体が提供される。一態様では、コンピュータ読み取り可能な媒体は、１つまたは複数の暗黙のアップリンクグラントを示す明示的なアップリンクグラントを受信するためのコンピュータ実行可能コードを含む。別の態様では、コンピュータ読み取り可能な媒体はまた、第１の時間スロットにおいて、明示的なアップリンクグラントに応答して第１のクリアチャネルアセスメント（ＣＣＡ）を実施するためのコンピュータ実行可能コードを含む。一態様では、コンピュータ読み取り可能な媒体は、第１のＣＣＡが成功する場合、アンライセンスまたは共有スペクトル上で、第１の時間スロットに後続する時間スロットにおいて、プロトコルデータユニット（ＰＤＵ）を送信するためのコンピュータ実行可能コードを含む。別の態様では、コンピュータ読み取り可能な媒体は、第１のＣＣＡが失敗する場合、１つまたは複数の暗黙のアップリンクグラントに応答して、第１の時間スロットに後続する１つまたは複数の時間スロットにおいて、１つまたは複数の追加的なＣＣＡをそれぞれ連続的に実施するためのコンピュータ実行可能コードを含む。一態様では、コンピュータ読み取り可能な媒体は、第１のＣＣＡが失敗する場合、アンライセンスまたは共有スペクトル上で、１つまたは複数の追加的なＣＣＡのうちの１つがそこにおいて成功する時間スロットに後続する時間スロットにおいて、ＰＤＵを送信するためのコンピュータ実行可能コードを含む。
【００６７】
[0082]  さらに図７を参照して、ライセンス支援アクセス（ＬＡＡ）システムにおいてアップリンク送信を管理するための別の例示的な装置が提供される。一態様では、装置は、命令を記憶するように構成されるメモリと、メモリに結合された少なくとも１つのプロセッサとを含み得、少なくとも１つのプロセッサおよびメモリは、以下の特徴を実施するための命令を実行するように構成される。別の態様では、装置は、１つまたは複数の暗黙のアップリンクグラントを示す明示的なアップリンクグラントを受信するように構成されるグラント受信機を含み得る。一態様では、装置は、第１の時間スロットにおいて、明示的なアップリンクグラントに応答して第１のクリアチャネルアセスメント（ＣＣＡ）を実施するように構成されるチャネル検査器を含み得る。別の態様では、装置はまた、第１のＣＣＡが成功する場合、アンライセンスまたは共有スペクトル上で、第１の時間スロットに後続する時間スロットにおいて、プロトコルデータユニット（ＰＤＵ）を送信するように構成されるデータ送信機を含み得る。一態様では、第１のＣＣＡが失敗する場合、装置に含まれるチャネル検査器は、１つまたは複数の暗黙のアップリンクグラントに応答して、第１の時間スロットに後続する１つまたは複数の時間スロットにおいて、１つまたは複数の追加的なＣＣＡをそれぞれ連続的に実施するように構成され得る。別の態様では、装置に含まれるデータ送信機は、アンライセンスまたは共有スペクトル上で、１つまたは複数の追加的なＣＣＡのうちの１つがそこにおいて成功する時間スロットに後続する時間スロットにおいて、ＰＤＵを送信するようにさらに構成され得る。
【００６８】
[0083]  図８は、ＬＡＡシステムにおけるアップリンク送信管理のための別の例示的なフローチャートである。方法８００は、図１〜３を参照して説明された複数のＵＥ１１５のうちのいくつかのものを参照して以下で説明される。
【００６９】
[0084]  ８０２において、方法８００は、グラント受信機２０２が、１つまたは複数の暗黙のアップリンクグラントを示す明示的なアップリンクグラントを受信することを含み得る。例えば、グラント受信機２０２は、時間スロットｎにおいて、明示的なアップリンクグラント５０８を、そこに含まれる１つまたは複数の暗黙のアップリンクグラント５０９（図５Ｂにおいて２つの暗黙のアップリンクグラントと示される）と共に、受信し得る。
【００７０】
[0085]  ８０４において、方法８００は、チャネル検査器２０４が、第１の時間スロットにおいて、明示的なアップリンクグラントに応答して第１のクリアチャネルアセスメント（ＣＣＡ）を実施することを含み得る。例えば、チャネル検査器２０４は、時間スロットｎ＋３においてチャネルチェックを実施し得る。
【００７１】
[0086]  ８０６において、ＵＥ１１５のアップリンク送信マネジャコンポーネント２０１は、第１のＣＣＡが成功するかどうかを決定し得る。一態様では、第１のＣＣＡが成功することをアップリンク送信マネジャコンポーネント２０１が決定するとき、ＵＥ１１５は、８０８に進み得、データ送信機２０６は、アンライセンスまたは共有スペクトル上で、第１の時間スロットに後続する時間スロットにおいて、プロトコルデータユニット（ＰＤＵ）のコピーをそれぞれ送信し得、ここにおいて、ＰＤＵの送信されるコピーの数は、１つまたは複数の暗黙のアップリンクグラントに少なくとも部分的に基づく。例えば、チャネルチェックが成功する（成功したＣＣＡ５１０と示される）とき、データ送信機２０６は、後続の時間スロット、例えば時間スロットｎ＋４、ｎ＋５、およびｎ＋６において、データの複数のコピーをそれぞれ送信し得る。データの各コピーは、例えば異なる冗長性情報を含む異なる冗長性の１つのバージョンであり得る。コピーの数は、暗黙のアップリンクグラント５０９の数および失敗したチャネルチェックの数に基づいて決定され得る。例えば、グラント受信機２０２が明示的なアップリンクグラント５０８および２つの暗黙のアップリンクグラント５０９を受信し、かつ時間における第１のチャネルチェックが成功するとき（例えば、成功したＣＣＡ５１０）、データ送信機２０６は、データの３つのコピーを、成功したＣＣＡ５１０に後続する時間スロットにおいて、各々送信し得る。
【００７２】
[0087]  別の態様では、第１のＣＣＡが成功しないことをアップリンク送信マネジャコンポーネント２０１が決定するとき、ＵＥ１１５は、８１０に進み得、チャネル検査器２０４は、第１の時間スロットに後続して追加的なＣＣＡを実施し得、データ送信機２０６は、追加的なＣＣＡが成功する場合、追加的なＣＣＡに後続する１つまたは複数の第３の時間スロットにおいて、ＰＤＵの１つまたは複数のコピーをそれぞれ送信し得る。時間における第１のチャネルチェックが失敗するとき、チャネル検査器２０４は、第１のチャネルチェックに後続する時間スロットにおいて、第２のチャネルチェックを実施し得る。第２のチャネルチェックが成功する場合、データ送信機２０６は、時間スロットｎ＋５およびｎ＋６において、アップリンクチャネル上でデータの２つのコピーのみを送信し得る。
【００７３】
[0088]  図８の別の態様では、ライセンス支援アクセス（ＬＡＡ）システムにおいてアップリンク送信を管理するための例示的な装置が提供される。一態様では、装置は、１つまたは複数の暗黙のアップリンクグラントを示す明示的なアップリンクグラントを受信するための手段を含む。一態様では、装置はまた、第１の時間スロットにおいて、明示的なアップリンクグラントに応答して第１のクリアチャネルアセスメント（ＣＣＡ）を実施するための手段を含む。別の態様では、装置は、第１のＣＣＡが成功する場合、第１の時間スロットに後続する時間スロットにおいて、アンライセンスまたは共有スペクトル上で、プロトコルデータユニット（ＰＤＵ）のコピーをそれぞれ送信するための手段を含み、ここにおいて、ＰＤＵの送信されるコピーの数は、１つまたは複数の暗黙のアップリンクグラントに少なくとも部分的に基づく。一態様では、装置はまた、第１のＣＣＡが失敗する場合、第１の時間スロットに後続する時間スロットにおいて、追加的なＣＣＡを実施するための手段を含む。別の態様では、装置は、アンライセンスまたは共有スペクトル上で、追加的なＣＣＡがそこにおいて成功する時間スロットに後続する１つまたは複数の時間スロットにおいて、ＰＤＵの１つまたは複数のコピーをそれぞれ送信するための手段を含む。
【００７４】
[0089]  図８の一態様では、ライセンス支援アクセス（ＬＡＡ）システムにおいてアップリンク送信を管理するためのコンピュータ実行可能コードを記憶する例示的なコンピュータ読み取り可能な媒体が提供される。一態様では、コンピュータ読み取り可能な媒体は、１つまたは複数の暗黙のアップリンクグラントを示す明示的なアップリンクグラントを受信するためのコンピュータ実行可能コードを含む。別の態様では、コンピュータ読み取り可能な媒体は、第１の時間スロットにおいて、明示的なアップリンクグラントに応答して第１のクリアチャネルアセスメント（ＣＣＡ）を実施するためのコンピュータ実行可能コードを含む。一態様では、コンピュータ読み取り可能な媒体は、第１のＣＣＡが成功する場合、第１の時間スロットに後続する時間スロットにおいて、アンライセンスまたは共有スペクトル上で、プロトコルデータユニット（ＰＤＵ）のコピーをそれぞれ送信するためのコンピュータ実行可能コードを含み、ＰＤＵの送信されるコピーの数は、１つまたは複数の暗黙のアップリンクグラントに少なくとも部分的に基づく。
【００７５】
[0090]  別の態様では、上で言及した例示的なコンピュータ読み取り可能な媒体はまた、第１のＣＣＡが失敗する場合、第１の時間スロットに後続する時間スロットにおいて、追加的なＣＣＡを実施するためのコンピュータ実行可能コードを含み得る。別の態様では、上で言及した例示的なコンピュータ読み取り可能な媒体は、アンライセンスまたは共有スペクトル上で、追加的なＣＣＡがそこにおいて成功する時間スロットに後続する１つまたは複数の時間スロットにおいて、ＰＤＵの１つまたは複数のコピーをそれぞれ送信するためのコンピュータ実行可能コードを含み得る。
【００７６】
[0091]  
[0092]  図９は、ＬＡＡシステムにおけるアップリンク送信管理のための例示的なフローチャートである。方法９００は、図１〜３を参照して説明された複数のＵＥ１１５のうちのいくつかのものを参照して以下で説明される。
【００７７】
[0093]  ９０２において、方法９００は、グラント受信機２０２が、第１のＨＡＲＱ処理に関連する第１のＰＤＵの送信についての第１の明示的なアップリンクグラントを受信することを含み得る。例えば、グラント受信機２０２は、プライマリセル４０２を介して時間スロットｎにおいて明示的なアップリンクグラント６０２を受信し得る。明示的なアップリンクグラント６０２は、ＵＥ１１５がＭＡＣ  ＰＤＵ６０６を送信することを許可されていることを示し得、ＭＡＣ  ＰＤＵ６０６は、第１のＨＡＲＱ処理に関連する。
【００７８】
[0094]  ９０４において、方法９００は、グラント受信機２０２が、第２のＨＡＲＱ処理に関連する第２のＰＤＵの送信についての第２の明示的なアップリンクグラントを受信することを含み得、第２の明示的なアップリンクグラントは、第１の明示的なアップリンクグラントに後続して受信される。例えば、グラント受信機２０２は、時間スロットｎ＋４において、ＵＥ１１５が第２のＨＡＲＱ処理に関連する別のＭＡＣ  ＰＤＵ（示されていない）を送信することを許可されていることを示す明示的なアップリンクグラント６０４を受信し得る。
【００７９】
[0095]  ９０６において、方法９００は、チャネル検査器２０４が、第１の時間スロットにおいて、第１の明示的なアップリンクグラントに応答して第１のクリアチャネルアセスメント（ＣＣＡ）を実施することを含み得る。例えば、チャネル検査器２０４は、時間スロットｎ＋３においてチャネルチェックを実施し得る。
【００８０】
[0096]  ９０８において、方法９００は、チャネル検査器２０４が、第２の時間スロットにおいて、第２の明示的なアップリンクグラントに応答して第２のＣＣＡを実施することを含み得る。例えば、チャネル検査器２０４は、時間スロットｎ＋７においてチャネルチェックを同様に実施し得る。
【００８１】
[0097]  ９１０において、方法９００は、送信決定器２１０が、第１のＣＣＡが失敗し、かつ第２のＣＣＡが成功する場合、アンライセンスまたは共有スペクトル上で、第２のＨＡＲＱ処理に関連して、第２の時間スロットに後続する時間スロットにおいて、第１のＰＤＵを送信するかまたは第２のＰＤＵを送信するかを決定することを含み得る。例えば、失敗したＣＣＡ６１０および成功したＣＣＡ６０８に伴い、送信決定器２１０は、持続時間３０２、すなわち明示的なアップリンクグラント６０２の受信と６０４の受信との間の時間期間、および許可されたサイズ３０４、すなわち明示的なアップリンクグラント６０４に従って送信され得るデータの最大サイズ、を含む１つまたは複数のファクタに基づいて、ＭＡＣ  ＰＤＵ６０６を送信するかどうかを決定し得る。例えば、持続時間３０２が所定のしきい値よりも大きい場合、それは、ＭＡＣ  ＰＤＵ６０６をリトリーブするための動作を実施するためにＵＥ１１５が十分な時間を有することを示し、送信決定器２１０は、第２のＨＡＲＱ処理に本来関連する他のＭＡＣ  ＰＤＵではなくＭＡＣ  ＰＤＵ  ６０６を送信することを、決定し得る。別の例として、許可されたサイズ３０４がＭＡＣ  ＰＤＵ６０６のサイズよりも大きい場合、送信決定器２１０は、ＭＡＣ  ＰＤＵ６０６、およびことによると第２のＨＡＲＱ処理に本来関連する他のＭＡＣ  ＰＤＵの一部を送信することを決定し得る。したがって、ネットワークエンティティ２２０は、ＰＤＵを正しい順序で受信し得る。
【００８２】
[0098]  一態様では、ＭＡＣ  ＰＤＵ６０６を送信することに先立って、バッファマネジャ２０８は、第１のＨＡＲＱ処理に関連するバッファから第２のＨＡＲＱ処理に関連する別のバッファに、ＭＡＣ  ＰＤＵ６０６を移動させ得る。
【００８３】
[0099]  図９の別の態様では、ライセンス支援アクセス（ＬＡＡ）システムにおいてアップリンク送信を管理するための例示的な装置が提供される。一態様では、装置は、第１のハイブリッド自動再送要求（ＨＡＲＱ）処理に関連する第１のプロトコルデータユニット（ＰＤＵ）の送信についての第１の明示的なアップリンクグラントを受信するための手段を含む。一態様では、装置はまた、第２のＨＡＲＱ処理に関連する第２のＰＤＵの送信についての第２の明示的なアップリンクグラントを受信するための手段を含み、第２の明示的なアップリンクグラントは、第１の明示的なアップリンクグラントに後続して受信される。別の態様では、装置は、第１の時間スロットにおいて、第１の明示的なアップリンクグラントに応答して第１のクリアチャネルアセスメント（ＣＣＡ）を実施するための手段を含む。一態様では、装置はまた、第２の時間スロットにおいて、第２の明示的なアップリンクグラントに応答して第２のＣＣＡを実施するための手段を含む。別の態様では、装置は、第１のＣＣＡが失敗し、かつ第２のＣＣＡが成功する場合、第２のＨＡＲＱ処理に関連して、第２の時間スロットに後続する時間スロットにおいて、アンライセンスまたは共有スペクトル上で、第１のＰＤＵを送信するかまたは第２のＰＤＵを送信するかを決定するための手段を含む。
【００８４】
[00100]  さらに図９を参照して、別の態様では、上で言及した例示的な装置は、第１のＨＡＲＱ処理に関連する第１のＨＡＲＱバッファに第１のＰＤＵを記憶するための手段を含み得る。一態様では、上で言及した例示的な装置はまた、第２のＨＡＲＱ処理に関連して第１のＰＤＵを送信するという成された決定に応答して、第１のＨＡＲＱバッファから第２のＨＡＲＱ処理に関連する第２のＨＡＲＱバッファに第１のＰＤＵを移動させるための手段を含み得る。一態様では、上で言及した例示的な装置はまた、第２のＨＡＲＱ処理に関連して第２のＰＤＵを送信するという成された決定に応答して、ＭＡＣバッファから第２のＨＡＲＱ処理に関連する第２のＨＡＲＱバッファに第２のＰＤＵを移動させるための手段を含み得る。上で言及した例示的な装置の別の態様では、アンライセンスまたは共有スペクトル上で、第１のＰＤＵを送信するかまたは第２のＰＤＵを送信するかを決定するための手段は、第１の明示的なグラントと第２の明示的なグラントとの間のサイズの差および／または送信時間の差に少なくとも部分的に基づく。
【００８５】
[00101]  図９の一態様では、ライセンス支援アクセス（ＬＡＡ）システムにおいてアップリンク送信を管理するためのコンピュータ実行可能コードを記憶する例示的なコンピュータ読み取り可能な媒体が提供される。一態様では、コンピュータ読み取り可能な媒体は、第１のハイブリッド自動再送要求（ＨＡＲＱ）処理に関連する第１のプロトコルデータユニット（ＰＤＵ）の送信についての第１の明示的なアップリンクグラントを受信するためのコンピュータ実行可能コードを含む。別の態様では、コンピュータ読み取り可能な媒体は、第２のＨＡＲＱ処理に関連する第２のＰＤＵの送信についての第２の明示的なアップリンクグラントを受信するためのコンピュータ実行可能コードを含み、第２の明示的なアップリンクグラントは、第１の明示的なアップリンクグラントに後続して受信される。一態様では、コンピュータ読み取り可能な媒体は、第１の時間スロットにおいて、第１の明示的なアップリンクグラントに応答して第１のクリアチャネルアセスメント（ＣＣＡ）を実施するためのコンピュータ実行可能コードを含む。別の態様では、コンピュータ読み取り可能な媒体は、第２の時間スロットにおいて、第２の明示的なアップリンクグラントに応答して第２のＣＣＡを実施するためのコンピュータ実行可能コードを含む。一態様では、コンピュータ読み取り可能な媒体は、第１のＣＣＡが失敗し、かつ第２のＣＣＡが成功する場合、第２のＨＡＲＱ処理に関連して、第２の時間スロットに後続する時間スロットにおいて、アンライセンスまたは共有スペクトル上で、第１のＰＤＵまたは第２のＰＤＵを送信することを決定するためのコンピュータ実行可能コードを含む。
【００８６】
[00102]  さらに図９を参照して、上で言及した例示的なコンピュータ読み取り可能な媒体は、一態様では、第１のＨＡＲＱ処理に関連する第１のＨＡＲＱバッファに第１のＰＤＵを記憶するためのコンピュータ実行可能コードを含み得る。別の態様では、上で言及した例示的なコンピュータ読み取り可能な媒体は、第２のＨＡＲＱ処理に関連して第１のＰＤＵを送信するという成された決定に応答して、第１のＨＡＲＱバッファから第２のＨＡＲＱ処理に関連する第２のＨＡＲＱバッファに第１のＰＤＵを移動させるためのコンピュータ実行可能コードを含み得る。一態様では、上で言及した例示的なコンピュータ読み取り可能な媒体はまた、第２のＨＡＲＱ処理に関連して第２のＰＤＵを送信するという成された決定に応答して、ＭＡＣバッファから第２のＨＡＲＱ処理に関連する第２のＨＡＲＱバッファに第２のＰＤＵを移動させるためのコンピュータ実行可能コードを含み得る。上述した例示的なコンピュータ読み取り可能な媒体の別の態様では、アンライセンスまたは共有スペクトル上で、第１のＰＤＵを送信するかまたは第２のＰＤＵを送信するかを決定するためのコンピュータ実行可能コードは、第１の明示的なグラントと第２の明示的なグラントとの間のサイズの差および／または送信時間の差に少なくとも部分的に基づく。
【００８７】
[00103]  図９の一態様では、ライセンス支援アクセス（ＬＡＡ）システムにおいてアップリンク送信を管理するための別の例示的な装置が提供される。一態様では、装置は、命令を記憶するように構成されるメモリと、メモリに結合された少なくとも１つのプロセッサとを含み得、少なくとも１つのプロセッサおよびメモリは、以下の特徴を実施するための命令を実行するように構成される。別の態様では、装置は、第１のハイブリッド自動再送要求（ＨＡＲＱ）処理に関連する第１のプロトコルデータユニット（ＰＤＵ）の送信についての第１の明示的なアップリンクグラントを受信し、および第２のＨＡＲＱ処理に関連する第２のＰＤＵの送信についての第２の明示的なアップリンクグラントを受信するように構成されるグラント受信機を含み得、第２の明示的なアップリンクグラントは、第１の明示的なアップリンクグラントに後続して受信される。一態様では、装置は、第１の時間スロットにおいて、第１の明示的なアップリンクグラントに応答して第１のクリアチャネルアセスメント（ＣＣＡ）を実施し、および第２の時間スロットにおいて、第２の明示的なアップリンクグラントに応答して第２のＣＣＡを実施するように構成されるチャネル検査器を含み得る。一態様では、装置は、第１のＣＣＡが失敗し、かつ第２のＣＣＡが成功する場合、アンライセンスまたは共有スペクトル上で、第２のＨＡＲＱ処理に関連して、第２の時間スロットに後続する時間スロットにおいて、第１のＰＤＵを送信するかまたは第２のＰＤＵを送信するかを決定するように構成される送信決定器を含み得る。
【００８８】
[00104]  さらに図９を参照して、一態様では、上述した例示的な装置は、第１のＨＡＲＱ処理に関連する第１のＨＡＲＱバッファに第１のＰＤＵを記憶し、第２のＨＡＲＱ処理に関連して第１のＰＤＵを送信するという成された決定に応答して、第１のＨＡＲＱバッファから第２のＨＡＲＱに関連する第２のＨＡＲＱバッファに第１のＰＤＵを移動させるように構成されるバッファマネジャをさらに含み得る。別の態様では、装置のバッファマネジャは、第２のＨＡＲＱ処理に関連して第２のＰＤＵを送信するという成された決定に応答して、ＭＡＣバッファから第２のＨＡＲＱ処理に関連する第２のＨＡＲＱバッファに第２のＰＤＵを移動させるようにさらに構成される。一態様では、装置の送信決定器は、第１の明示的なグラントと第２の明示的なグラントとの間のサイズの差および／または送信時間の差に少なくとも部分的に基づいて、第１のＰＤＵを送信するかまたは第２のＰＤＵを送信するかを決定するように構成される。
【００８９】
[00105]  図１０は、処理システムを用いる装置のためのハードウェアインプリメンテーションの例を例示する図である。いくつかの例では、処理システム１０１４は、図１〜３を参照して説明されるＵＥ１１５またはネットワークエンティティ２２０の例であり得る。この例では、処理システム１０１４は、概してバス１００２によって表されるバスアーキテクチャを用いてインプリメントされ得る。バス１００２は、処理システム１０１４の特定の用途および全体的な設計制約に応じて、相互接続バスおよびブリッジをいくつでも含み得る。バス１００２は、概してプロセッサ１００４によって表される１つまたは複数のプロセッサ、概してコンピュータ読み取り可能な媒体１００６によって表されるコンピュータ読み取り可能な媒体、アップリンク送信マネジャコンポーネント２０１、またはアップリンクグラントマネジャコンポーネント２１１（図２Ａ参照）を含む様々な回路を共にリンクし、それらは、ここに説明される１つまたは複数の方法またはプロシージャを実行するように構成され得る。
【００９０】
[00106]  いくつかの事例では、通信管理コンポーネント３０５は、処理システム１０１４がＵＥ１１５またはネットワークエンティティ２２０で使用されるときにインプリメントされ得る。一態様では、アップリンク送信マネジャコンポーネント２０１およびその中のコンポーネントは、本開示に提示された機能、方法論（methodologies）（例えば、図４の方法４００）、または方法を実施するように構成され得るハードウェア、ソフトウェア、またはハードウェアとソフトウェアとの組合せを備え得る。アップリンクグラントマネジャコンポーネント２１１およびその中のコンポーネントは、本開示に提示された機能、方法論（例えば、図５の方法５００）、または方法を実施するように構成され得るハードウェア、ソフトウェア、またはハードウェアとソフトウェアとの組合せを備え得る。
【００９１】
[00107]  バス１００２はまた、タイミングソース、周辺機器、電圧レギュレータ、および電力管理回路のような、様々な他の回路もリンクさせ得るが、これらは当該技術で周知であるため、これ以上説明されることはない。バスインタフェース１００８は、バス１００２とトランシーバ１０１０との間のインタフェースを提供する。トランシーバ１０１０は、送信媒体を介して様々な他の装置と通信するための手段を提供する。装置の性質に応じて、ユーザインタフェース１０１２（例えば、キーパッド、ディスプレイ、スピーカ、マイクロフォン、ジョイスティック）もまた提供され得る。
【００９２】
[00108]  プロセッサ１００４は、コンピュータ読み取り可能な媒体１００６に記憶されたソフトウェアの実行を含む一般的な処理およびバス１００２の管理を担う。ソフトウェアは、プロセッサ１００４によって実行されたとき、処理システム１０１４に、任意の特定の装置に関して以下で説明される様々な機能を実施させる。コンピュータ読み取り可能な媒体１００６はまた、ソフトウェアを実行するときにプロセッサ１００４によって操作されるデータを記憶するために使用され得る。いくつかの態様では、アップリンク送信マネジャコンポーネント２０１またはアップリンクグラントマネジャコンポーネント２１１に関連する機能、方法論、または方法の少なくとも一部は、プロセッサ１００４および／またはコンピュータ読み取り可能な媒体１００６によって実施またはインプリメントされ得る。
【００９３】
[00109]  いくつかの例では、コンピュータ読み取り可能な媒体１００６は、ワイヤレス通信のためのコードを記憶し得る。コードは、１つまたは複数のトリガ条件に関して、１つまたは複数のワイヤレスチャネルをモニタすることと、第１のワイヤレスチャネル上で１つまたは複数のトリガ条件が満たされるとき、ネットワークエンティティにアクセスするために１つまたは複数のワイヤレスチャネルのうちの第１のワイヤレスチャネル上でプローブ信号を送信することであって、ここにおいて、プローブ信号の特性は、少なくともネットワークエンティティを用いたアクセスのタイプに基づく、送信することと、プローブ信号に応答してネットワークエンティティから応答信号を受信することであって、応答信号は第１のワイヤレスデバイスによるアクセスを可能にするための情報を含む、受信することと、行うことを、コンピュータ（例えば、プロセッサ１００４）によって実行可能な命令を備え得る。
【００９４】
[00110]  図１１に関して、ノードＢ  １１１０は、ＵＥ１１５０と通信しており、セル更新メッセージを管理するように構成される態様を有する。一態様では、ノードＢ  １１１０は、アップリンクグラントマネジャコンポーネント２１１を実行する、図２Ａおよび図２Ｂのコアネットワーク１３０に関連するネットワークエンティティ２２０の例であり得る。一態様では、ＵＥ１１５０は、アップリンク送信マネジャコンポーネント２０１を実行する、図１、２Ａ、および２ＣのＵＥ１１５の例であり得る。ダウンリンク通信では、送信プロセッサ１１２０は、データソース１１１２からデータを、およびコントローラ／プロセッサ１１４０から制御信号を受信し得る。送信プロセッサ１１２０は、データおよび制御信号、ならびに基準信号（例えば、パイロット信号）のための様々な信号処理機能を提供する。例えば、送信プロセッサ１１２０は、一連のシンボルを生み出すために、エラー検出のための巡回冗長チェック（ＣＲＣ）コード、前方エラー訂正（ＦＥＣ）を容易にするためのコーディングおよびインタリーブ、様々な変調スキーム（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ値直交振幅変調（Ｍ−ＱＡＭ：M-quadrature amplitude modulation）等）に基づいた信号コンステレーションへのマッピング、直交可変拡散ファクタ（ＯＶＳＦ：orthogonal variable spreading factors）を用いた拡散、およびスクランブリングコードでの乗算を提供し得る。チャネルプロセッサ１１４４からのチャネル推定値は、送信プロセッサ１１２０のためのコーディング、変調、拡散、および／またはスクランブリングスキームを決定するために、コントローラ／プロセッサ１１４０によって使用され得る。これらのチャネル推定値は、ＵＥ１１５０によって送信された基準信号から、またはＵＥ１１５０からのフィードバックから、導出され得る。送信プロセッサ１１２０によって生成されるシンボルは、フレーム構造を作り出すために送信フレームプロセッサ１１３０に提供される。送信フレームプロセッサ１１３０は、コントローラ／プロセッサ１１４０からの情報でシンボルを多重化することによって、このフレーム構造を作り出し、それは一連のフレームをもたらす。フレームは次いで、送信機１１３２に提供され、それは、増幅、フィルタ、およびアンテナ１１３４を通したワイヤレス媒体上でのダウンリンク送信のためのキャリアへのフレームの変調を含む、様々な信号調整機能を提供する。アンテナ１１３４は、例えば、ビームステアリング双方向適応アンテナアレイ（beam steering bidirectional adaptive antenna arrays）または他の同様のビーム技術を含む、１つまたは複数のアンテナを含み得る。
【００９５】
[00111]  ＵＥ１１５０において、受信機１１５４は、アンテナ１１５２を通してダウンリンク送信を受信し、送信を処理してキャリア上へ変調された情報を回復する。受信機１１５４によって回復された情報は、受信フレームプロセッサ１１６０に提供され、それは、各フレームをパース（parses）して、フレームからの情報をチャネルプロセッサ１１９４に、そしてデータ、制御、および基準信号を受信プロセッサ１１７０に、提供する。受信プロセッサ１１７０は次いで、ノードＢ  １１１０において送信プロセッサ１１２０によって実施される処理の逆を実施する。より具体的には、受信プロセッサ１１７０は、シンボルをディスクランブル（descrambles）およびディスプレッド（dispreads）し、次いで変調スキームに基づいて、ノードＢ  １１１０によって送信された最も可能性の高い信号コンステレーションポイントを決定する。これらの軟判定（soft decisions）は、チャネルプロセッサ１１９４によって計算されるチャネル推定値に基づき得る。軟判定は次いで、データ、制御、および基準信号を回復するために、復号およびデインタリーブされる。次いで、フレームが成功裡に復号されたかどうかを決定するために、ＣＲＣコードがチェックされる。成功裡に復号されたフレームによって搬送されたデータは次いで、データシンク１１７２に提供されることになり、それは様々なユーザインタフェース（例えば、ディスプレイ）および／またはＵＥ１１５０で実行中のアプリケーションを表す。成功裡に復号されたフレームによって搬送された制御信号は、コントローラ／プロセッサ１１９０に提供されることになる。受信プロセッサ１１７０によるフレームの復号が失敗した（unsuccessfully decoded）とき、コントローラ／プロセッサ１１９０はまた、それらのフレームについての再送要求をサポートするために、肯定応答（ＡＣＫ）および／または否定応答（ＮＡＣＫ）プロトコルを使用し得る。
【００９６】
[00112]  アップリンクチャネルでは、データソース１１７８からのデータおよびコントローラ／プロセッサ１１９０からの制御信号は、送信プロセッサ１１８０に提供される。データソース１１７８は、様々なユーザインタフェース（例えば、キーボード）およびＵＥ１１５０で実行中のアプリケーションを表し得る。ノードＢ  １１１０によってダウンリンク送信に関連して説明された機能性と同様に、送信プロセッサ１１８０は、一連のシンボルを生み出すために、ＣＲＣコード、ＦＥＣを容易にするためのコーディングおよびインタリーブ、信号コンステレーションへのマッピング、ＯＶＳＦを用いた拡散、およびスクランブリングを含む様々な信号処理機能を提供する。ノードＢ  １１１０によって送信されたミッドアンブル（midamble）に含まれるフィードバックから、またはノードＢ  １１１０によって送信された基準信号から、チャネルプロセッサ１１９４によって導出されたチャネル推定値は、適したコーディング、変調、拡散、および／またはスクランブリングスキームを選択するために使用され得る。送信プロセッサ１１８０によって生み出されるシンボルは、フレーム構造を作り出すために、送信フレームプロセッサ１１８２に提供されることになる。送信フレームプロセッサ１１８２は、コントローラ／プロセッサ１１９０からの情報でシンボルを多重化することによって、このフレーム構造を作り出し、それは一連のフレームをもたらす。フレームは次いで、送信機１１５６に提供され、それは、増幅、フィルタ、およびアンテナ１１５２を通したワイヤレス媒体上でのアップリンク送信のためのキャリアへのフレームの変調を含む、様々な信号調整機能を提供する。
【００９７】
[00113]  アップリンク送信は、ＵＥ１１５０における受信機機能に関連して説明されたものと同様の方法でノードＢ  １１１０において処理される。受信機１１３５は、アンテナ１１３４を通してアップリンク送信を受信し、送信を処理してキャリア上へ変調された情報を回復する。受信機１１３５によって回復された情報は、受信フレームプロセッサ１１３６に提供され、それは、各フレームをパースして、フレームからの情報をチャネルプロセッサ１１４４に、データ、制御、および基準信号を受信プロセッサ１１３８に、提供する。受信プロセッサ１１３８は、ＵＥ１１５０において送信プロセッサ１１８０によって実施される処理の逆を実施する。成功裡に復号されたフレームによって搬送されたデータおよび制御信号は次いで、データシンク１１３９およびコントローラ／プロセッサにそれぞれ提供され得る。フレームのうちのいくつかについて、受信プロセッサによる復号が失敗した場合、コントローラ／プロセッサ１１４０はまた、それらのフレームについての再送要求をサポートするために、肯定応答（ＡＣＫ）および／または否定応答（ＮＡＣＫ）プロトコルを使用し得る。
【００９８】
[00114]  コントローラ／プロセッサ１１４０および１１９０は、ノードＢ  １１１０およびＵＥ１１５０における動作を指示（direct）するためにそれぞれ使用され得る。例えば、コントローラ／プロセッサ１１４０および１１９０は、タイミング、周辺機器インタフェース、電圧レギュレーション、電力管理、送信管理、および他の制御機能を含む様々な機能を提供し得る。メモリ１１４２および１１９２のコンピュータ読み取り可能な媒体は、それぞれノードＢ  １１１０およびＵＥ１１５０のためのデータおよびソフトウェアを記憶し得る。ノードＢ  １１１０におけるスケジューラ／プロセッサ１１４６は、ＵＥにリソースを割り振る、およびＵＥのためのダウンリンクおよび／またはアップリンク送信をスケジューリングするために使用され得る。一態様では、アップリンクグラントマネジャコンポーネント２１１は、アップリンクグラントを管理するためにノードＢ  １１１０においてコントローラ／プロセッサ１１４０と通信し得、アップリンク送信マネジャコンポーネント２０１は、アップリンク送信を管理するためにＵＥ１１５０においてコントローラ／プロセッサ１１９０と通信し得る。
【００９９】
[00115]  添付の図面に関連して上述された詳細な説明は、例示的な実施形態を説明しており、インプリメントされ得るまたは特許請求の範囲の範囲内にあるすべての実施形態を表すわけではない。この説明で使用される「例となる（exemplary）」という用語は、「例、事例、または例示としての役割を果たす」ことを意味し、「より好ましい」または「他の実施形態よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明された実施形態の概念を不明瞭にすることを避けるために、ブロック図の形式で示される。
【０１００】
[00116]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【０１０１】
[00117]  本明細書における開示に関連して説明された様々な例示的なブロックおよびモジュールは、汎用プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、ＤＳＰと１つのマイクロプロセッサ、複数のマイクロプロセッサ、ＤＳＰコアと連携した１つまたは複数のマイクロプロセッサ、または任意の他のそのような構成の組合せ）としてインプリメントされ得る。
【０１０２】
[00118]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、本開示の範囲および添付の特許請求の範囲内にある。例えば、ソフトウェアの性質が原因で、上述した機能は、プロセッサ、ハードウェア、ファームウェア、ハードワイヤリング、またはこれらの任意のものの組合せによって実行されるソフトウェアを使用してインプリメントされ得る。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「のうちの１つまたは複数」のような表現が付される項目のリスト）で使用される「または」は、例えば、「Ａ、ＢまたはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するように、包括的なリスト（an inclusive list）を示す。
【０１０３】
[00119]  コンピュータ読み取り可能な媒体は、１つの場所から別の場所へのコンピュータプログラムの転送を容易にする任意の媒体を含む、コンピュータ記憶媒体および通信媒体の両方を含む。記憶媒体は、汎用または専用コンピュータによってアクセスされることができる任意の利用可能な媒体であり得る。限定ではなく例として、コンピュータ読み取り可能な媒体は、ＲＡＭ、ＲＯＭ、電気的に消去可能なプログラム可能な読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、または命令またはデータ構造の形態で所望のプログラムコード手段を搬送または記憶するために使用され得る、および汎用または専用コンピュータ、または汎用または専用プロセッサによってアクセスされ得る、いかなる他の媒体も備え得る。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【０１０４】
[00120]  本開示の先の説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されるべきではなく、ここに開示された原理および新規な特徴と一致する最も広い範囲を与えられるべきである。
【０１０５】
[00121]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような様々なワイヤレス通信システムのために使用され得る。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、ワイドバンドＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術をインプリメントし得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ＵＭＴＳ、ＬＴＥ、ＬＴＥ−Ａ、および移動通信のためのグローバルシステム（ＧＳＭ）は、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明される技法は、上述されたシステムおよび無線技術、ならびに他のシステムおよび無線技術のために使用され得る。それらの技法はＬＴＥアプリケーションを超えて適用可能であるのだが、しかしながら上述の説明は、例示の目的でＬＴＥシステムを説明しており、上述の説明の大部分でＬＴＥ用語が使用される。
以下に本願の出願当初の特許請求の範囲に記載された発明を付記する。
［Ｃ１］
ライセンス支援アクセス（ＬＡＡ）システムにおいてアップリンク送信を管理するための方法であって、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）を送信することと、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施することと、
前記アンライセンスまたは共有スペクトル上で、前記１つまたは複数の追加的なＣＣＡのうちの１つがそこにおいて成功する前記時間スロットに後続する時間スロットにおいて、前記ＰＤＵを送信することと、
を備える、方法。
［Ｃ２］
前記１つまたは複数の追加的なＣＣＡの数は、前記１つまたは複数の暗黙のアップリンクグラントの数に等しい、Ｃ１に記載の方法。
［Ｃ３］
前記第１のＣＣＡを実施することは、拡張されたクリアチャネルアセスメント（ｅＣＣＡ）を実施することを備える、Ｃ１に記載の方法。
［Ｃ４］
前記１つまたは複数の追加的なＣＣＡを実施することは、１つまたは複数の拡張されたクリアチャネルアセスメント（ｅＣＣＡ）を実施することを備える、Ｃ１に記載の方法。
［Ｃ５］
前記明示的なアップリンクグラントを受信することは、プライマリセルから前記明示的なアップリンクグラントを受信することを備える、Ｃ１に記載の方法。
［Ｃ６］
前記ＰＤＵを送信することは、ＬＡＡセカンダリセルを介して前記ＰＤＵを送信することを備える、Ｃ１に記載の方法。
［Ｃ７］
前記ＰＤＵを送信することは、媒体アクセス制御（ＭＡＣ）ＰＤＵを送信することを備える、Ｃ１に記載の方法。
［Ｃ８］
前記アンライセンスまたは共有スペクトルは、５ＧＨｚバンドである、Ｃ１に記載の方法。
［Ｃ９］
ライセンス支援アクセス（ＬＡＡ）システムにおいてアップリンク送信を管理するための方法であって、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）のコピーをそれぞれ送信することと、ここにおいて、前記ＰＤＵの送信されるコピーの数は、前記１つまたは複数の暗黙のアップリンクグラントに少なくとも部分的に基づく、
を備える、方法。
［Ｃ１０］
前記第１のＣＣＡが失敗する場合、前記第１の時間スロットに後続する時間スロットにおいて、追加的なＣＣＡを実施することと、
前記追加的なＣＣＡが成功する場合、前記アンライセンスまたは共有スペクトル上で、前記追加的なＣＣＡがそこにおいて成功する時間スロットに後続する１つまたは複数の時間スロットにおいて、前記ＰＤＵの１つまたは複数のコピーをそれぞれ送信することと、
をさらに備える、Ｃ９に記載の方法。
［Ｃ１１］
複数の追加的なＣＣＡを、前記追加的なＣＣＡのうちの１つが成功するまで、または前記暗黙のアップリンクグラントが終了するまで、実施することをさらに備える、Ｃ１０に記載の方法。
［Ｃ１２］
前記ＰＤＵのコピーを送信することは、異なる冗長性情報を伴う前記ＰＤＵのコピーを送信することを備える、Ｃ９に記載の方法。
［Ｃ１３］
前記明示的なアップリンクグラントを受信することは、プライマリセルから前記明示的なアップリンクグラントを受信することを備える、Ｃ９に記載の方法。
［Ｃ１４］
前記ＰＤＵのコピーを送信することは、ＬＡＡセカンダリセルを介して前記ＰＤＵのコピーを送信することを備える、Ｃ９に記載の方法。
［Ｃ１５］
ライセンス支援アクセス（ＬＡＡ）システムにおいてアップリンク送信を管理するための方法であって、
第１のハイブリッド自動再送要求（ＨＡＲＱ）処理に関連する第１のプロトコルデータユニット（ＰＤＵ）の送信についての第１の明示的なアップリンクグラントを受信することと、
第２のＨＡＲＱ処理に関連する第２のＰＤＵの送信についての第２の明示的なアップリンクグラントを受信することと、前記第２の明示的なアップリンクグラントは、前記第１の明示的なアップリンクグラントに後続して受信される、
第１の時間スロットにおいて、前記第１の明示的なアップリンクグラントに応答して第１のクリアチャネルアセスメント（ＣＣＡ）を実施することと、
第２の時間スロットにおいて、前記第２の明示的なアップリンクグラントに応答して第２のＣＣＡを実施することと、
前記第１のＣＣＡが失敗し、かつ前記第２のＣＣＡが成功する場合、アンライセンスまたは共有スペクトル上で、前記第２のＨＡＲＱ処理に関連して、前記第２の時間スロットに後続する時間スロットにおいて、前記第１のＰＤＵを送信するかまたは前記第２のＰＤＵを送信するかを決定することと、
を備える、方法。
［Ｃ１６］
前記第１のＨＡＲＱ処理に関連する第１のＨＡＲＱバッファに、前記第１のＰＤＵを記憶することと、
前記第２のＨＡＲＱ処理に関連して前記第１のＰＤＵを送信するという成された決定に応答して、前記第１のＨＡＲＱバッファから前記第２のＨＡＲＱ処理に関連する第２のＨＡＲＱバッファに前記第１のＰＤＵを移動させることと、
をさらに備える、Ｃ１５に記載の方法。
［Ｃ１７］
前記第１のＰＤＵが前記第２のＨＡＲＱバッファに移動させられるとき、前記第１のＨＡＲＱバッファをクリアすることをさらに備える、Ｃ１６に記載の方法。
［Ｃ１８］
前記第２のＨＡＲＱ処理に関連して前記第２のＰＤＵを送信するという成された決定に応答して、ＭＡＣバッファから前記第２のＨＡＲＱ処理に関連する第２のＨＡＲＱバッファに、前記第２のＰＤＵを移動させることをさらに備える、Ｃ１５に記載の方法。
［Ｃ１９］
前記アンライセンスまたは共有スペクトル上で、前記第１のＰＤＵを送信するかまたは前記第２のＰＤＵを送信するかを決定することは、前記第１の明示的なグラントと前記第２の明示的なグラントとの間のサイズの差および／または送信時間の差に少なくとも部分的に基づく、Ｃ１５に記載の方法。
［Ｃ２０］
前記第１のまたは前記第２の明示的なアップリンクグラントを受信することは、プライマリセルから前記第１のまたは前記第２の明示的なアップリンクグラントを受信することを備える、Ｃ１５に記載の方法。
［Ｃ２１］
ライセンス支援アクセス（ＬＡＡ）システムにおいてアップリンク送信を管理するための装置であって、
命令を記憶するように構成されるメモリと、
前記メモリに結合された少なくとも１つのプロセッサとを備え、
前記少なくとも１つのプロセッサおよび前記メモリは、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）の１つまたは複数のコピーをそれぞれ送信することと、ここにおいて、前記ＰＤＵの送信されるコピーの数は、前記１つまたは複数の暗黙のアップリンクグラントに少なくとも部分的に基づく、
を行うための前記命令を実行するように構成される、装置。
［Ｃ２２］
前記少なくとも１つのプロセッサおよび前記メモリは、
前記第１のＣＣＡが失敗する場合、前記第１の時間スロットに後続して追加的なＣＣＡを実施することと、
前記追加的なＣＣＡが成功する場合、前記アンライセンスまたは共有スペクトル上で、前記追加的なＣＣＡがそこにおいて成功する時間スロットに後続する１つまたは複数の時間スロットにおいて、前記ＰＤＵの１つまたは複数のコピーをそれぞれ送信することと、
を行うための前記命令を実行するようにさらに構成される、Ｃ２１に記載の装置。
［Ｃ２３］
前記少なくとも１つのプロセッサおよび前記メモリは、複数の追加的なＣＣＡを、前記追加的なＣＣＡのうちの１つが成功するまで、または前記暗黙のアップリンクグラントが終了するまで、実施するための前記命令を実行するようにさらに構成される、Ｃ２２に記載の装置。
［Ｃ２４］
前記少なくとも１つのプロセッサおよび前記メモリは、異なる冗長性情報を伴う前記ＰＤＵの前記１つまたは複数のコピーを送信するための前記命令を実行するようにさらに構成される、Ｃ２１に記載の装置。
［Ｃ２５］
前記少なくとも１つのプロセッサおよび前記メモリは、プライマリセルから前記明示的なアップリンクグラントを受信するための前記命令を実行するようにさらに構成される、Ｃ２１に記載の装置。
［Ｃ２６］
前記少なくとも１つのプロセッサおよび前記メモリは、ＬＡＡセカンダリセルを介して前記ＰＤＵの前記１つまたは複数のコピーを送信するための前記命令を実行するようにさらに構成される、Ｃ２１に記載の装置。
【図１】
0006768707.tif 000002
【図２Ａ】
0006768707.tif 000003
【図２Ｂ】
0006768707.tif 000004
【図２Ｃ】
0006768707.tif 000005
【図３】
0006768707.tif 000006
【図４Ａ】
0006768707.tif 000007
【図４Ｂ】
0006768707.tif 000008
【図５Ａ】
0006768707.tif 000009
【図５Ｂ】
0006768707.tif 000010
【図６】
0006768707.tif 000011
【図７】
0006768707.tif 000012
【図８】
0006768707.tif 000013
【図９】
0006768707.tif 000014
【図１０】
0006768707.tif 000015
【図１１】
0006768707.tif 000016